(57)【特許請求の範囲】
【請求項１】
筆記部を備えた略ノート形状の被筆記体の前記筆記部に対応したコイルと、
磁界印加用コイルを備えた信号生成手段を有し、前記被筆記体への筆記内容に対応したデータ入力を行うために電子筆記具から送信される位置検出用の筆記信号の前記コイルでの受信結果に基づき取得された、当該電子筆記具の位置情報を取得する位置取得手段と、
前記位置取得手段で取得された前記位置情報を用いて、前記電子筆記具による前記被筆記体への記載に対応したストロークデータを生成するストロークデータ生成手段と、
前記ストロークデータ生成手段により生成されるストロークデータに対し、前記被筆記体のページを識別するページ番号を付与するページ付与手段と、
前記ストロークデータ生成手段により生成された前記ストロークデータを、ページ付与手段により付与された前記ページ番号と対応付けて記憶する、記憶制御手段と、
前記被筆記体のページがめくられたとき、そのページ進み方向又はページ戻し方向への被筆記体のめくり動作を検出するページめくり検出手段と、
前記ページめくり検出手段で前記ページ戻し方向へページがめくられたことが検出された後、前記位置取得手段で取得された前記位置情報を用いて前記ストロークデータ生成手段により第１ストロークデータが生成され、さらに前記ページめくり検出手段で前記ページ進み方向へページがめくられたことが検出された場合には、前記ページめくり検出手段で前記ページ戻し方向へページがめくられたことが検出される直前の元ページに復帰したかどうかを判定する復帰判定手段と、を有し、
前記記憶制御手段は、
前記ページ付与手段が追記ページであることを示す別途付与した追記用仮ページ番号と対応付けて、前記第１ストロークデータを追記データとして記憶する
ことを特徴とする電子筆記装置。
【請求項２】
前記被筆記体は、第１筆記部と第２筆記部とを備え開閉可能な見開き形状に構成され、前記コイルは、前記被筆記体の前記第１筆記部に対応した第１コイル、及び、前記第２筆記部に対応した第２コイル、を備え、
前記復帰判定手段は、
前記位置取得手段で取得された前記位置情報を用いて、前記電子筆記具による筆記が前記第１筆記部又は前記第２筆記部に含まれるいずれの領域で行われたか、を検出する筆記領域検出手段と、
前記ページめくり検出手段で前記ページ戻し方向へページがめくられたことが検出された後、前記位置取得手段で取得された前記位置情報を用いて前記ストロークデータ生成手段により第１ストロークデータが生成され、さらに前記ページめくり検出手段で前記ページ進み方向へページがめくられたことが検出された後、前記位置取得手段で取得された前記位置情報を用いて前記ストロークデータ生成手段により第２ストロークデータが生成された場合には、
少なくとも、前記筆記領域検出手段により検出された、前記ページめくり検出手段で前記ページ戻し方向へページがめくられたことが検出される直前の前記元ページに対応する前記位置取得手段で取得された前記位置情報を用いて前記ストロークデータ生成手段により生成された元ストロークデータの終了点と、前記第２ストロークデータの開始点とを、比較して、前記第２ストロークデータに対応付けるべきページ番号を、前記元ストロークデータに対し前記ページ付与手段により付与された元ページ番号とするか否かを判定する、第１判定手段と、
を有し、
前記記憶制御手段は、
前記第１判定手段により前記第２ストロークデータに対応付けるべきページ番号が前記元ページ番号であると判定された場合には、前記第２ストロークデータを前記元ページ番号と対応付けて記憶する
ことを特徴とする請求項１記載の電子筆記装置。
【請求項３】
前記第１判定手段は、
前記筆記領域検出手段により、前記元ストロークデータの終了点が前記第１筆記部の途中領域であるとともに前記第２ストロークデータの開始点が前記第２筆記部の途中領域であるか、若しくは、前記元ストロークデータの終了点が前記第２筆記部の途中領域であるとともに前記第２ストロークデータの開始点が前記第１筆記部の途中領域である、と検出された場合には、前記第２ストロークデータに対応付けるべきページ番号が前記元ページ番号でないと判定する
ことを特徴とする請求項２記載の電子筆記装置。
【請求項４】
少なくとも前記第１判定手段により前記第２ストロークデータに対応付けるべきページ番号が前記元ページ番号でないと判定されなかった場合であって、かつ、前記位置取得手段で取得された前記位置情報を用いて前記ストロークデータ生成手段により第２ストロークデータが生成された後、さらに前記ページめくり検出手段で前記ページ進み方向へページがめくられたことが検出された場合に、当該ページめくり検出手段により前記ページ進み方向へ検出されたページめくり数が複数ページであるか否かによって、前記第２ストロークデータに対応付けるべきページ番号を、前記元ストロークデータに対し前記ページ付与手段により付与された元ページ番号とするか否かを判定する、第２判定手段を有し、
前記記憶制御手段は、
前記第２判定手段により前記第２ストロークデータに対応付けるべきページ番号が前記元ページ番号であると判定された場合には、前記第２ストロークデータを前記元ページ番号と対応付けて蓄積する
ことを特徴とする請求項２又は請求項３記載の電子筆記装置。
【請求項５】
前記第２判定手段は、
前記ページめくり検出手段により、前記ページ進み方向へ検出したページめくり数が複数ページであった場合には、前記第２ストロークデータに対応付けるべきページ番号が前記元ページ番号でないと判定する
ことを特徴とする請求項４記載の電子筆記装置。
【請求項６】
少なくとも前記第２判定手段により前記第２ストロークデータに対応付けるべきページ番号が前記元ページ番号でないと判定されなかった場合であって、かつ、前記ストロークデータ生成手段により前記第２ストロークデータが生成され、さらに前記ページめくり検出手段で前記ページ進み方向へページがめくられたことが検出された場合に、当該めくられるまでに生成された前記第２ストロークデータに対する前記筆記領域検出手段の検出結果を用いて、前記第２ストロークデータに対応付けるべきページ番号を、前記元ストロークデータに対し前記ページ付与手段により付与された元ページ番号とするか否かを判定する、第３判定手段を有し、
前記記憶制御手段は、
前記第３判定手段により前記第２ストロークデータに対応付けるべきページ番号が前記元ページ番号であると判定された場合には、前記第２ストロークデータを前記元ページ番号と対応付けて蓄積する
ことを特徴とする請求項４又は請求項５記載の電子筆記装置。
【請求項７】
前記第３判定手段は、
前記筆記領域検出手段により、前記第２ストロークデータの開始点が前記第１筆記部の筆記開始領域であるとともに、当該第２ストロークデータの前記第２筆記部における開始点が当該第２筆記部の筆記開始領域である、と検出された場合には、前記第２ストロークデータに対応付けるべきページ番号が前記元ページ番号であると判定する
ことを特徴とする請求項６記載の電子筆記装置。
【請求項８】
少なくとも前記第３判定手段により前記第２ストロークデータに対応付けるべきページ番号が前記元ページ番号であると判定されなかった場合であって、かつ、前記ストロークデータ生成手段により前記第２ストロークデータが生成され、さらに前記ページめくり検出手段で前記ページ進み方向へページがめくられたことが検出された後、前記位置取得手段で取得された前記位置情報を用いて前記ストロークデータ生成手段により第３ストロークデータが生成された場合に、
前記筆記領域検出手段により検出された、前記第２ストロークデータの開始点及び終了点と、前記第３ストロークデータの開始点とを、比較して、前記第２ストロークデータに対応付けるべきページ番号を、前記元ストロークデータに対し前記ページ付与手段により付与された元ページ番号とするか否かを判定する、第４判定手段を有し、
前記記憶制御手段は、
前記第４判定手段により前記第２ストロークデータに対応付けるべきページ番号が前記元ページ番号であると判定された場合には、前記第２ストロークデータを前記元ページ番号と対応付けて蓄積する
ことを特徴とする請求項６又は請求項７記載の電子筆記装置。
【請求項９】
前記第４判定手段は、
前記筆記領域検出手段により、前記第２ストロークデータの開始点及び終了点が前記第１筆記部にあるとともに前記第３ストロークデータの開始点が前記第１筆記部にあるか、若しくは、前記第２ストロークデータの開始点及び終了点が前記第２筆記部にあるとともに前記第３ストロークデータの開始点が前記第２筆記部にある、と検出された場合には、前記第２ストロークデータに対応付けるべきページ番号が前記元ページ番号でないと判定する
ことを特徴とする請求項８記載の電子筆記装置。
【請求項１０】
少なくとも前記第４判定手段により前記第２ストロークデータに対応付けるべきページ番号が前記元ページ番号でないと判定されなかった場合であって、かつ、前記ストロークデータ生成手段により前記第３ストロークデータが生成され、さらに前記ページめくり検出手段で前記ページ進み方向へページがめくられたことが検出された場合に、当該めくられるまでに生成された前記第３ストロークデータに対する前記筆記領域検出手段の検出結果を用いて、前記第２ストロークデータに対応付けるべきページ番号を、前記元ストロークデータに対し前記ページ付与手段により付与された元ページ番号とするか否かを判定する、第５判定手段を有し、
前記記憶制御手段は、
前記第５判定手段により前記第２ストロークデータに対応付けるべきページ番号が前記元ページ番号であると判定された場合には、前記第２ストロークデータを前記元ページ番号と対応付けて蓄積する
することを特徴とする請求項８又は請求項９記載の電子筆記装置。
【請求項１１】
前記第５判定手段は、
前記筆記領域検出手段により、前記第３ストロークデータの開始点が前記第１筆記部の筆記開始領域である、と検出された場合には、前記第３ストロークデータの終了点に対応付けるべきページ番号が前記元ページ番号であると判定する
ことを特徴とする請求項１０記載の電子筆記装置。
【請求項１２】
前記ページ付与手段により付与するページ番号の増減を指示可能な操作手段を有し、
前記第１判定手段は、
前記ページめくり検出手段で前記ページ戻し方向へページがめくられたことが検出された後、前記位置取得手段で取得された前記位置情報を用いて前記ストロークデータ生成手段により前記第１ストロークデータが生成され、さらに前記ページめくり検出手段で前記ページ進み方向へページがめくられたことが検出されたときに、前記操作手段により指示されたページ番号の減少数と、前記ページめくり検出手段により前記ページ進み方向へ検出されたページめくり数とが一致した場合には、前記第２ストロークデータに対応付けるべきページ番号が前記元ページ番号であると判定する
ことを特徴とする請求項２記載の電子筆記装置。
【発明の詳細な説明】
【技術分野】
【０００１】
本発明は、操作者の筆記内容を電子的に入力可能な電子筆記装置に関する。
【背景技術】
【０００２】
近年、操作者の手書きによる筆記内容を電子的に入力可能な電子筆記装置が知られている。この電子筆記装置では、操作者が、いわゆる電子ペン等の電子筆記具を用いて、被筆記体の筆記面に、手書きの所望の文字列等を筆記する。それと同時に、当該電子筆記具から磁界が送信され、上記被筆記体の背面に配置されたコイルでその磁界が受信される。これにより、筆記面への筆記動作に対応した位置情報の時間的変化によってストロークデータが生成され、電子ファイルとして保存される。このような電子筆記装置で用いられる上記被筆記体では、通常、複数枚の紙媒体が積層されており、操作者はそれら複数枚の紙媒体を順にめくりつつ、各ページに対して筆記を行う。
【０００３】
このような電子筆記装置の一例として、従来、例えば特許文献１に記載の技術がある。この従来技術では、上記被筆記体のめくり動作を検出するめくり検出部が備えられている。これにより、入力されたストロークデータの電子ファイルは、めくり検出部によって検出された各ページに対応させ、記憶される。
【先行技術文献】
【特許文献】
【０００４】
【特許文献１】特開２００１−１４７７７１号公報
【発明の概要】
【発明が解決しようとする課題】
【０００５】
しかしながら、上記従来技術では、以下の課題が存在する。すなわち、一般に紙媒体の厚さは比較的薄いので、めくり検出部は、被筆記体のめくり方向は確実に判別できても、めくり枚数を精度よく検出することは難しい。特に、操作者が複数枚の紙媒体をめくった際、そのめくった枚数を正確に検出することは難しかった。
【０００６】
一方、前述のようにして操作者が被筆記体に対し順次記載を行っていくとき、操作者が、自らの意志で、被筆記体のページを戻し方向にめくって過去のページにさかのぼって追記を行う場合がある。追記が終わった場合には、操作者は、被筆記体のページを進み方向に戻して、元ページ、すなわち最新のページに戻す。このような追記を行った場合に、上記従来技術の電子筆記装置は、前述のような検出精度の低さにより、戻し方向や進み方向にめくられためくり枚数を正確に検出できないおそれがある。この場合、追記時に複数ページを戻って進むことにより、実際に記入されているページと、装置側で認識しているページとが一致しなくなる可能性があり、その際に操作者がページ番号を入力して付与する等の操作をする必要があった。
【０００７】
本発明の目的は、操作者がページ番号の付与を指示しなくても、追記内容のストロークデータを追記データとして認識し、保存することができ、さらには追記後に元ページに戻ったかどうか正しく認識できる電子筆記装置を提供することにある。
【課題を解決するための手段】
【０００８】
上記目的を達成するために、第１の発明は、筆記部を備えた略ノート形状の被筆記体の前記筆記部に対応したコイルと、磁界印加用コイルを備えた信号生成手段を有し、前記被筆記体への筆記内容に対応したデータ入力を行うために電子筆記具から送信される位置検出用の筆記信号の前記コイルでの受信結果に基づき取得された、当該電子筆記具の位置情報を取得する位置取得手段と、前記位置取得手段で取得された前記位置情報を用いて、前記電子筆記具による前記被筆記体への記載に対応したストロークデータを生成するストロークデータ生成手段と、前記ストロークデータ生成手段により生成されるストロークデータに対し、前記被筆記体のページを識別するページ番号を付与するページ付与手段と、前記ストロークデータ生成手段により生成された前記ストロークデータを、ページ付与手段により付与された前記ページ番号と対応付けて記憶する、記憶制御手段と、前記被筆記体のページがめくられたとき、そのページ進み方向又はページ戻し方向への被筆記体のめくり動作を検出するページめくり検出手段と、前記ページめくり検出手段で前記ページ戻し方向へページがめくられたことが検出された後、前記位置取得手段で取得された前記位置情報を用いて前記ストロークデータ生成手段により第１ストロークデータが生成され、さらに前記ページめくり検出手段で前記ページ進み方向へページがめくられたことが検出された場合には、前記ページめくり検出手段で前記ページ戻し方向へページがめくられたことが検出される直前の元ページに復帰したかどうかを判定する復帰判定手段と、を有し、前記記憶制御手段は、前記ページ付与手段が追記ページであることを示す別途付与した追記用仮ページ番号と対応付けて、前記第１ストロークデータを追記データとして記憶することを特徴とする。
【０００９】
本願第１発明の電子筆記装置は、筆記部を備えてめくり操作によりページの進みと戻りを行う略ノート形状の被筆記体を備えている。筆記部に対応して少なくとも１つのコイルが配置されている。磁界印加用コイルを備えた信号生成手段を有する電子筆記具は、位置検出用の筆記信号を送信し、この筆記信号がコイルで受信される。操作者が電子筆記具を用いて被筆記体に対し記載を行うと、その筆記動作に対応した電子筆記具の位置情報が位置取得手段によって取得される。位置情報の時間的変化を用いて、ストロークデータ生成手段により、上記被筆記体への記載に対応したストロークデータが生成される。生成されるストロークデータに対しては、ページ付与手段によって被筆記体の実際のページに対応したページ番号が付与される。これにより、操作者が被筆記体に対し順次記載を行っていくときの実際の記載ページと同等のページ番号が、当該記載に対応したストロークデータに対しても順次付与される。
【００１０】
上記のようにして操作者が被筆記体に対し順次記載を行っていくとき、操作者が、自らの意志で、被筆記体のページを戻し方向にめくって過去のページにさかのぼって追記を行う場合がある。追記が終わった場合には、操作者は、被筆記体のページを進み方向に戻して、元ページ、すなわち最新のページに戻す。但し、追記を複数ページにわたって行う場合には、操作者は、ページを進み方向に戻しつつ追記対象となるそれら複数のページのすべてに対して順次追記を終わらせた後に、上記最終のページに戻す。
【００１１】
ここで、本願第１発明の電子筆記装置には、上記のようなめくり動作に対応して、ページめくり検出手段が設けられている。操作者が上記のようにして被筆記体のページを進み方向や戻し方向にめくると、そのことがページめくり検出手段によって検出される。その際、操作者が、例えば、被筆記体の複数枚の用紙を同時にめくったり、急いでめくったりした等、めくり動作の態様によっては、上記のページめくり検出手段が上記ページめくり動作を正確に検出できない場合があり得る。この場合、現在、被筆記体に対する操作者の追記が終了してもとの最新ページに戻った状態であるのか、被筆記体に対する操作者の追記がまだ行われている状態であるのか、を電子筆記装置が正確に認識できない可能性がある。
【００１２】
そこで、本願第１発明の電子筆記装置においては、復帰判定手段を設けている。この復帰判定手段は、ページめくり検出手段でページ戻し方向へページがめくられたことが検出された後、位置取得手段で取得された位置情報を用いてストロークデータ生成手段により第１ストロークデータが生成され、さらにページめくり検出手段でページ進み方向へページがめくられたことが検出された場合には、元ページの適合条件と不適合条件の判定を繰り返して、元ページに復帰したかどうかを判定する。
【００１３】
また、記憶制御手段は、ページ付与手段が追記ページであることを示す別途付与した追記用仮ページ番号に対応付けて第１ストロークデータを追記データとして記憶する。これにより、第１ストロークデータに対しては、正確なページ番号を付与せずとも、適宜の追記用仮ページ番号に対応付けて保存できる。
【００１４】
第２発明は、上記第１発明において、前記被筆記体は、第１筆記部と第２筆記部とを備え開閉可能な見開き形状に構成され、前記コイルは、前記被筆記体の前記第１筆記部に対応した第１コイル、及び、前記第２筆記部に対応した第２コイル、を備え、前記復帰判定手段は、前記位置取得手段で取得された前記位置情報を用いて、前記電子筆記具による筆記が前記第１筆記部又は前記第２筆記部に含まれるいずれの領域で行われたか、を検出する筆記領域検出手段と、前記ページめくり検出手段で前記ページ戻し方向へページがめくられたことが検出された後、前記位置取得手段で取得された前記位置情報を用いて前記ストロークデータ生成手段により第１ストロークデータが生成され、さらに前記ページめくり検出手段で前記ページ進み方向へページがめくられたことが検出された後、前記位置取得手段で取得された前記位置情報を用いて前記ストロークデータ生成手段により第２ストロークデータが生成された場合には、少なくとも、前記筆記領域検出手段により検出された、前記ページめくり検出手段で前記ページ戻し方向へページがめくられたことが検出される直前の前記元ページに対応する前記位置取得手段で取得された前記位置情報を用いて前記ストロークデータ生成手段により生成された元ストロークデータの終了点と、前記第２ストロークデータの開始点とを、比較して、前記第２ストロークデータに対応付けるべきページ番号を、前記元ストロークデータに対し前記ページ付与手段により付与された元ページ番号とするか否かを判定する、第１判定手段と、を有し、前記記憶制御手段は、前記第１判定手段により前記第２ストロークデータに対応付けるべきページ番号が前記元ページ番号であると判定された場合には、前記第２ストロークデータを前記元ページ番号と対応付けて記憶することを特徴とする。
【００１５】
本願第２発明の電子筆記装置は、前記筆記体が第１筆記部と第２筆記部とを備えて開閉可能な見開き形状に構成されている。また、前記コイルが、第１筆記部に対応する少なくとも１つの第１コイルと、第２筆記部に対応する少なくとも１つの第２コイルを備えている。復帰判定手段に、筆記領域検出手段と第１判定手段とが設けられている。操作者が追記を意図して被筆記体をページ戻し方向へのページめくりを行ったとき、そのページめくりを行う直前にストロークデータ生成手段により生成された元ストロークデータの終了点の位置が、筆記領域検出手段により検出される。また、上記の後、操作者が被筆記体をページ進み方向へめくったとき、そのページめくりを行った後にストロークデータ生成手段により生成された第２ストロークデータの開始点の位置が、筆記領域検出手段により検出される。追記が完了して追記開始前と同じページに復帰した場合には、上記元ストロークデータは追記直前に記載していた筆記内容に相当し、上記第２ストロークデータは当該筆記内容の続きの内容に相当する。したがって、元ストロークデータの終了点の位置と、第２ストロークデータの開始点の位置とは、密接な関係があるはずである。そこで、本願第２発明の電子筆記装置では、第１判定手段が、上記元ストロークデータの終了点の位置と、上記第２ストロークデータの開始点の位置とを比較する。言い換えれば、第１判定手段は、上記第２ストロークデータが元ストロークデータの続きの内容になっているか、を比較する。そして、第１判定手段は、上記の結果、第２ストロークデータに対し、元ストロークデータの元ページ番号とするか否かを決定する。そして、第１判定手段が第２ストロークデータに元ページ番号を対応付けると判定した場合には、記憶制御手段が、第２ストロークデータを当該元ページ番号に対応付け記憶する。これにより、その時点で操作者による追記がすべて完了し、通常の筆記順序に沿った記載態様に復帰した場合に、それ以降のストロークデータに対し、上記復帰に対応した正しいページ番号が付与される。以上の結果、本願第２発明の電子筆記装置は、ページめくり検出手段がページめくり動作を正確に検出できなかった場合であっても、操作者の追記が終了しもとの最新ページに戻った状態であることを、正確に認識することができる。
【００１６】
第３発明は、上記第２発明において、前記第１判定手段は、前記筆記領域検出手段により、前記元ストロークデータの終了点が前記第１筆記部の途中領域であるとともに前記第２ストロークデータの開始点が前記第２筆記部の途中領域であるか、若しくは、前記元ストロークデータの終了点が前記第２筆記部の途中領域であるとともに前記第２ストロークデータの開始点が前記第１筆記部の途中領域である、と検出された場合には、前記第２ストロークデータに対応付けるべきページ番号が前記元ページ番号でないと判定することを特徴とする。
【００１７】
第１筆記部と第２筆記部とを備える見開き形状の被筆記体においては、操作者による通常の筆記態様では、第１筆記部に筆記を行った後に第２筆記部に移り、第２筆記部の筆記が終わったらページをめくって再び第１筆記部、という順序となるのが自然である。したがって、元ストロークデータが第１筆記部の途中で終了した状態で追記が行われた場合には、追記が完全に終了したら、第２ストロークデータは上記第１筆記部の途中領域から始まるか、当該第１筆記部の次のページに対応した第２筆記部の筆記開始領域から始まるはずである。あるいは、元ストロークデータが第２筆記部の途中で終了した状態で追記が行われた場合には、追記が完全に終了したら、第２ストロークデータは上記第２筆記部の途中領域から始まるか、当該第２筆記部の次のページに対応した第１筆記部の筆記開始領域から始まるはずである。そこで本願第３発明においては、第１判定手段が、少なくとも上記に当てはまらない場合には、第２ストロークデータに対応付けるべきページ番号は元ページ番号ではない、すなわち、追記が完全に終了した状態ではない、とみなす。これにより、操作者の追記がまだ終了しておらず、もとの最新ページに戻っていない状態であることを、正確に認識することができる。
【００１８】
第４発明は、上記第２又は第３発明において、少なくとも前記第１判定手段により前記第２ストロークデータに対応付けるべきページ番号が前記元ページ番号でないと判定されなかった場合であって、かつ、前記位置取得手段で取得された前記位置情報を用いて前記ストロークデータ生成手段により第２ストロークデータが生成された後、さらに前記ページめくり検出手段で前記ページ進み方向へページがめくられたことが検出された場合に、当該ページめくり検出手段により前記ページ進み方向へ検出されたページめくり数が複数ページであるか否かによって、前記第２ストロークデータに対応付けるべきページ番号を、前記元ストロークデータに対し前記ページ付与手段により付与された元ページ番号とするか否かを判定する、第２判定手段を有し、前記記憶制御手段は、前記第２判定手段により前記第２ストロークデータに対応付けるべきページ番号が前記元ページ番号であると判定された場合には、前記第２ストロークデータを前記元ページ番号と対応付けて蓄積することを特徴とする。
【００１９】
上述したように、元ストロークデータが第２筆記部の途中で終了した状態で追記が行われた場合には、追記が完全に終了したら、第２ストロークデータは上記第２筆記部の途中領域から始まるか、当該第２筆記部の次のページに対応した第１筆記部の筆記開始領域から始まるはずである。前者である第２筆記部の途中領域に復帰したとき、その第２筆記部への筆記がすぐに終わった場合には、その次のページの第１筆記部から始まる前に、進み方向へのページめくりが行われる。このときめくられるページめくり数は１ページであるから、ページめくり数が複数ページである場合には、上記のような追記完了時の復帰の態様ではない。そこで本願第４発明においては、この点に着目し、第２判定手段が、上記進み方向へのページめくり数が複数ページであるか否かによって、第２ストロークデータのページ番号を元ページ番号とするか否かを判定する。これにより、操作者の追記がまだ終了しておらず、もとの最新ページに戻っていない状態であることを、正確に認識することができる。
【００２０】
第５発明は、上記第４発明において、前記第２判定手段は、前記ページめくり検出手段により、前記ページ進み方向へ検出したページめくり数が複数ページであった場合には、前記第２ストロークデータに対応付けるべきページ番号が前記元ページ番号でないと判定することを特徴とする。
【００２１】
本願第５発明においては、前述の着目に基づき、第２判定手段により、少なくとも第２ストロークデータの生成が行われた後に実行されたページめくり数が複数ページである場合には、第２ストロークデータに対応付けるべきページ番号は元ページ番号ではないとみなされる。すなわち、第２判定手段により、追記が完全に終了した状態ではない、とみなされる。これにより、操作者の追記がまだ終了しておらず、もとの最新ページに戻っていない状態であることを、正確に認識することができる。
【００２２】
第６発明は、上記第４又は第５発明において、少なくとも前記第２判定手段により前記第２ストロークデータに対応付けるべきページ番号が前記元ページ番号でないと判定されなかった場合であって、かつ、前記ストロークデータ生成手段により前記第２ストロークデータが生成され、さらに前記ページめくり検出手段で前記ページ進み方向へページがめくられたことが検出された場合に、当該めくられるまでに生成された前記第２ストロークデータに対する前記筆記領域検出手段の検出結果を用いて、前記第２ストロークデータに対応付けるべきページ番号を、前記元ストロークデータに対し前記ページ付与手段により付与された元ページ番号とするか否かを判定する、第３判定手段を有し、前記記憶制御手段は、前記第３判定手段により前記第２ストロークデータに対応付けるべきページ番号が前記元ページ番号であると判定された場合には、前記第２ストロークデータを前記元ページ番号と対応付けて蓄積することを特徴とする。
【００２３】
上述したように、元ストロークデータが第２筆記部の途中で終了した状態で追記が行われた場合に、追記終了時に送り方向へのページめくり後に生成される第２ストロークデータは、上記第２筆記部の次のページに対応した第１筆記部の筆記開始領域から始まる場合がある。そのようにして第１筆記部の筆記開始領域から始まった第２ストロークデータが、さらに続くとその次のページに対応した第２筆記部へと移る。第２筆記部への記載が終了すると、操作者によって送り方向へのページめくりが行われる。
【００２４】
そこで本願第６発明においては、この点に着目し、第３判定手段が、上記２つの進み方向へのページめくりと進み方向へのページめくりとの間に生成される第２ストロークデータに対する、筆記領域検出手段による検出結果を用いて、第２ストロークデータのページ番号を元ページ番号とするか否かを判定する。これにより、操作者の追記が終了し、もとの最新ページに戻った状態であることを、正確に認識することができる。
【００２５】
第７発明は、上記第６発明において、前記第３判定手段は、前記筆記領域検出手段により、前記第２ストロークデータの開始点が前記第１筆記部の筆記開始領域であるとともに、当該第２ストロークデータの前記第２筆記部における開始点が当該第２筆記部の筆記開始領域である、と検出された場合には、前記第２ストロークデータに対応付けるべきページ番号が前記元ページ番号であると判定することを特徴とする。
【００２６】
本願第７発明においては、前述の着目に基づき、第３判定手段により、２回実行されたページめくり動作の間に生成された第２ストロークデータの開始点が第１筆記部の筆記開始領域で、第２筆記部での開始点も筆記開始領域であった場合には、第２ストロークデータに対応付けるべきページ番号は元ページ番号であるとみなされる。すなわち、第３判定手段により、追記が完全に終了した状態である、とみなされる。これにより、操作者の追記が終了し、もとの最新ページに戻った状態であることを、正確に認識することができる。
【００２７】
第８発明は、上記第６又は第７発明において、少なくとも前記第３判定手段により前記第２ストロークデータに対応付けるべきページ番号が前記元ページ番号であると判定されなかった場合であって、かつ、前記ストロークデータ生成手段により前記第２ストロークデータが生成され、さらに前記ページめくり検出手段で前記ページ進み方向へページがめくられたことが検出された後、前記位置取得手段で取得された前記位置情報を用いて前記ストロークデータ生成手段により第３ストロークデータが生成された場合に、前記筆記領域検出手段により検出された、前記第２ストロークデータの開始点及び終了点と、前記第３ストロークデータの開始点とを、比較して、前記第２ストロークデータに対応付けるべきページ番号を、前記元ストロークデータに対し前記ページ付与手段により付与された元ページ番号とするか否かを判定する、第４判定手段を有し、前記記憶制御手段は、前記第４判定手段により前記第２ストロークデータに対応付けるべきページ番号が前記元ページ番号であると判定された場合には、前記第２ストロークデータを前記元ページ番号と対応付けて蓄積することを特徴とする。
【００２８】
上述したように、ページ進み方向へのページめくり動作の後に生成される第２ストロークデータが第１筆記部より開始された場合、筆記が進んでその次のページに対応した第２筆記部に移り、さらに筆記が進むと操作者によりページめくり動作が行われ、さらにその次のページに対応した第１筆記部に移る。この場合、少なくとも、第２ストロークデータの終了点は第２筆記部に位置し、第３ストロークデータの開始点は第１筆記部に位置するはずである。あるいは、ページ進み方向へのページめくり動作の後に生成される第２ストロークデータが第２筆記部より開始された場合、筆記が進むと操作者によりページめくり動作が行われ、その次のページに対応した第１筆記部に移る。さらに筆記が進むとさらにその次のページに対応した第２筆記部に移る。この場合、少なくとも、第２ストロークデータの終了点は第２筆記部に位置し、めくり動作後に生成される第３ストロークデータの開始点は第１筆記部に位置するはずである。そこで本願第８発明においては、この点に着目し、第４判定手段が、上記第２ストロークデータの開始点及び終了点と、第３ストロークデータの開始点とを、比較し、その比較結果を用いて、第２ストロークデータのページ番号を元ページ番号とするか否かを判定する。これにより、操作者の追記が終了しておらず、もとの最新ページに戻った状態ではないことを、正確に認識することができる。
【００２９】
第９発明は、上記第８発明において、前記第４判定手段は、前記筆記領域検出手段により、前記第２ストロークデータの開始点及び終了点が前記第１筆記部にあるとともに前記第３ストロークデータの開始点が前記第１筆記部にあるか、若しくは、前記第２ストロークデータの開始点及び終了点が前記第２筆記部にあるとともに前記第３ストロークデータの開始点が前記第２筆記部にある、と検出された場合には、前記第２ストロークデータに対応付けるべきページ番号が前記元ページ番号でないと判定することを特徴とする。
【００３０】
本願第９発明においては、前述の着目に基づき、第４判定手段により、第２ストロークデータの開始点及び終了点が第１筆記部にあって第３ストロークデータの開始点も第１筆記部にあった場合、及び、第２ストロークデータの開始点及び終了点が第２筆記部にあって第３ストロークデータの開始点も第２筆記部にあった場合には、第２ストロークデータに対応付けるべきページ番号は元ページ番号ではないとみなされる。すなわち、第４判定手段により、追記が完全に終了した状態ではない、とみなされる。これにより、操作者の追記が終了せず、もとの最新ページに戻った状態ではないことを、正確に認識することができる。
【００３１】
第１０発明は、上記第８又は第９発明において、少なくとも前記第４判定手段により前記第２ストロークデータに対応付けるべきページ番号が前記元ページ番号でないと判定されなかった場合であって、かつ、前記ストロークデータ生成手段により前記第３ストロークデータが生成され、さらに前記ページめくり検出手段で前記ページ進み方向へページがめくられたことが検出された場合に、当該めくられるまでに生成された前記第３ストロークデータに対する前記筆記領域検出手段の検出結果を用いて、前記第２ストロークデータに対応付けるべきページ番号を、前記元ストロークデータに対し前記ページ付与手段により付与された元ページ番号とするか否かを判定する、第５判定手段を有し、前記記憶制御手段は、前記第５判定手段により前記第２ストロークデータに対応付けるべきページ番号が前記元ページ番号であると判定された場合には、前記第２ストロークデータを前記元ページ番号と対応付けて蓄積することを特徴とする。
【００３２】
上述したように、元ストロークデータが第１筆記部の途中で終了した状態で追記が行われた場合に、追記終了時に送り方向へのページめくり後に第２ストロークデータが上記第１筆記部の途中から開始され、筆記が進んで次のページに対応した第２筆記部へと移った後、操作者によるページめくり操作の後、さらに次のページに対応した第１筆記部から第３ストロークデータが開始される場合がある。これは、第２ストロークデータが上記第２筆記部の筆記開始領域から開始されてもよい。あるいは、元ストロークデータが第２筆記部の途中で終了した状態で追記が行われた場合に、追記終了時に送り方向へのページめくり後に第２ストロークデータが上記第２筆記部の途中から開始され、筆記が進んで、操作者によるページめくり操作の後、さらに次のページに対応した第１筆記部から第３ストロークデータが開始される場合がある。これらの場合は、いずれも第３ストロークデータは、第１筆記部の筆記開始領域から開始される。
【００３３】
そこで本願第１０発明においては、この点に着目し、第５判定手段が、上記進み方向へのページめくりの後に生成される第３ストロークデータに対する、筆記領域検出手段による検出結果を用いて、第２ストロークデータのページ番号を元ページ番号とするか否かを判定する。これにより、操作者の追記が終了し、もとの最新ページに戻った状態であることを、正確に認識することができる。
【００３４】
第１１発明は、上記第１０発明において、前記第５判定手段は、前記筆記領域検出手段により、前記第３ストロークデータの開始点が前記第１筆記部の筆記開始領域である、と検出された場合には、前記第３ストロークデータの終了点に対応付けるべきページ番号が前記元ページ番号であると判定することを特徴とする。
【００３５】
本願第１１発明においては、前述の着目に基づき、第５判定手段により、ページめくり動作の後に生成された第３ストロークデータの開始点が第１筆記部の筆記開始領域であった場合には、第３ストロークデータの終了点に対応付けるべきページ番号は元ページ番号であるとみなされる。すなわち、第５判定手段により、追記が完全に終了した状態である、とみなされる。これにより、操作者の追記が終了し、もとの最新ページに戻った状態であることを、正確に認識することができる。
【００３６】
第１２発明は、上記第２発明において、前記ページ付与手段により付与するページ番号の増減を指示可能な操作手段を有し、前記第１判定手段は、前記ページめくり検出手段で前記ページ戻し方向へページがめくられたことが検出された後、前記位置取得手段で取得された前記位置情報を用いて前記ストロークデータ生成手段により前記第１ストロークデータが生成され、さらに前記ページめくり検出手段で前記ページ進み方向へページがめくられたことが検出されたときに、前記操作手段により指示されたページ番号の減少数と、前記ページめくり検出手段により前記ページ進み方向へ検出されたページめくり数とが一致した場合には、前記第２ストロークデータに対応付けるべきページ番号が前記元ページ番号であると判定することを特徴とする。
【００３７】
本願第１２発明においては、操作者がページ送り方向やページ戻し方向にページめくりを行う際に、操作者がページ番号を指示可能な操作手段が設けられている。この操作手段を用いて操作者がページ戻し方向にページ番号の減少を指示して追記を行った後、追記後にページ送り方向にページめくりを行う際、うっかり操作手段によりページ送り方向にページ番号の増加を指示し忘れる場合が考えられる。本願第１１発明では、このような場合に対応し、第１判定手段が、上記ページ送り方向にページめくりが行われたときのページめくり検出手段によるページめくり数と、上記操作手段により指示されたページ番号の減少数とを比較する。そして、これらページめくり数とページ番号の減少数とが一致しているときには、上述のようにして単に操作者がページ番号の増加指示を失念したに過ぎないとみなし、第２ストロークデータに、元ページ番号を対応付ける。これにより、操作者の追記が終了し、もとの最新ページに確実に戻っている状態であることを、正確に認識することができる。
【発明の効果】
【００３８】
本発明によれば、操作者がページ番号の付与を指示しなくても、追記内容のストロークデータに対し追記されるべき正しいページを対応させ、保存することができる。
【図面の簡単な説明】
【００３９】
【図１】本発明の一実施の形態の手書き入力装置の使用時の様子を表す、外観斜視図、概念的平面図、及び概念的側面図である。
【図２】手書き入力装置の機能的構成を表す機能ブロック図である。
【図３】コイルシートの内部構成を表す概念的平面図である。
【図４】めくり検出部の構成を表す外観斜視図である。
【図５】ページ切り替えキーを用いてページ移動を判定する場合を説明する図である。
【図６】めくり検出だけでページ移動を判定する場合を説明する図である。
【図７】第１原則に反する最新ページ不適合条件を説明する図である。
【図８】第１原則に反する最新ページ不適合条件を説明する図である。
【図９】第２原則に反する最新ページ不適合条件を説明する図である。
【図１０】第２原則に反する最新ページ不適合条件を説明する図である。
【図１１】第２原則に反する最新ページ不適合条件を説明する図である。
【図１２】最新ページ適合条件を説明する図である。
【図１３】最新ページ適合条件を説明する図である。
【図１４】座標検出装置のＣＰＵが実行する制御手順を表すフローチャートである。
【図１５】座標検出装置のＣＰＵが実行する制御手順を表すフローチャートである。
【図１６】座標検出装置のＣＰＵが実行する制御手順を表すフローチャートである。
【図１７】座標検出装置のＣＰＵが実行する制御手順を表すフローチャートである。
【図１８】座標検出装置のＣＰＵが実行する制御手順を表すフローチャートである。
【図１９】画像センサを有するめくり検出部を備えた手書き入力装置の概念的側面図である。
【発明を実施するための形態】
【００４０】
以下、本発明の一実施の形態を図面を参照しつつ説明する。
【００４１】
本実施形態の電子筆記装置である手書き入力装置１は、図１（ａ）に示すように、電子記録端末である座標検出装置３を有する。使用時には、操作者が、電子筆記具である電子ペン２を持つ。電子ペン２は、筆記具としての機能に加え、入力される位置座標、すなわち座標データの入力手段として機能する。
【００４２】
図１（ａ）、図１（ｂ）、及び図１（ｃ）に示すように、座標検出装置３は、ノート３０を略覆うように所定の第１方向（図１（ｂ）中左右方向）に見開き可能な形状に構成された、可塑性部材からなるシート体１０を有している。なお、以下の説明においては、上記の見開き形状にシート体１０が設置された状態（図１（ｂ）の状態）を基準として、第１方向（図１（ｂ）中左右方向）を第１方向４と定義し、第１方向４と直行する第２方向（図１（ｂ）中上下方向）を第２方向５と定義する。
【００４３】
シート体１０は、左側シート部１０Ｌと、右側シート部１０Ｒと、上記第１方向４の中央部に位置する折り曲げ部１０Ｔとを備えている。左側シート部１０Ｌは、上記第１方向４に沿って折り曲げ部１０Ｔの一方側（図１（ｂ）中左側）に設けられ、左側コイルシート１００Ｌを備えている。右側シート部１０Ｒは、上記第１方向４に沿って折り曲げ部１０Ｔの他方側（図１（ｂ）中右側）に設けられ、右側コイルシート１００Ｒを備えている。折り曲げ部１０Ｔは、操作者により折り曲げ可能な部分である。
【００４４】
図１（ｂ）及び図１（ｃ）に示すように、左側シート部１０Ｌの上記第１方向４における折り曲げ部１０Ｔと反対側の端部、すなわち左端部に、制御回路部ケース２５が設けられている。なお、制御回路部ケース２５は、右側シート部１０Ｒの上記第１方向４における折り曲げ部１０Ｔと反対側の端部、すなわち右端部に設けられていてもよい。制御回路部ケース２５には、制御回路部２０及び電池２１が収納されている。そして、略ノート形状の被筆記体である、上記第１方向４に見開き可能な形状のノート３０が、上記シート体１０に重なるように配置されている。なお、上記左側シート部１０Ｌ及び右側シート部１０Ｒに、図１（ａ）に示すようなノート保持部１１がそれぞれ設けられていてもよい。これにより、座標検出装置３を容易かつ確実にノート３０と一体化することができ、操作者による取り扱い性を向上することができる。
【００４５】
操作者は、電子ペン２を用いて、ノート３０の左筆記面３１Ｌや右筆記面３１Ｒに手書きの所望の文字列等を筆記する。この筆記動作に対応した電子ペン２の移動により、筆記された文字列等に対応した後述のストロークデータが生成され、その生成されたストロークデータが電子ファイルに保存される。その際、操作者は、実際にインクを用いてノート３０の左筆記面３１Ｌや右筆記面３１Ｒ等にページを切り替えながら筆記が行われるのと同様、電子ファイルのページ切り替え、すなわちページ進み又はページ戻しを行いながら保存することができる（後述）。この電子ファイルのページ切り替えは、ページ切替キー７７，７８（後述の図２参照）の操作によって行われる。なお、左筆記面３１Ｌ及び右筆記面３１Ｒが、それぞれ各請求項に記載の第１筆記部、第２筆記部に相当し、またそれらを合わせて各請求項に記載の筆記部に相当する。
【００４６】
また、座標検出装置３には、ページめくり検出手段としてのめくり検出部７６が備えられている。このめくり検出部７６は、略直方体形状のアーム７６ａを有している。めくり検出部７６の左側端部は上記制御回路部ケース２５に固定され、めくり検出部７６の右側端部はノート３０の左筆記面３１Ｌの左側縁部に重複するように設けられている。これにより、見開いた状態のノート３０の左筆記面３１Ｌに位置する複数枚の用紙、この例では紙媒体は、当該めくり検出部７６のアーム７６ａと左側シート部１０Ｌとの間に挟持される。
【００４７】
この例では、当該ノート３０は概略的に左閉じで製本されている。つまり、操作者は、右筆記面３１Ｒに位置する用紙を左側へめくることでページを進め、左筆記面３１Ｌに位置する用紙を右側へめくることでページを戻す。操作者は、ノート３０に対してページを進めるめくり操作を行う場合には、用紙をめくり検出部７６のアーム７６ａと左側シート部１０Ｌとの間に挿入する操作を行う。操作者は、ページを戻すめくり操作を行う場合には、めくり検出部７６のアーム７６ａと左側シート部１０Ｌとの間から用紙を抜き出す操作を行う。めくり検出部７６は、このような用紙の挿入と抜き出しを検出することで、ページのめくり方向を判別することができる。なお、このめくり検出部７６の詳細な構成については、後述の図４で説明する。
【００４８】
操作者が手書き入力装置１を使用する際には、電子ペン２に備えられた図示しない電源スイッチがオンされる。電子ペン２は、図２に示すように、先端に設けられたペン先２ａと、ペン先２ａの筆記面３１への接触状態に応じて動作する先端スイッチ４２と、信号生成手段であるＬＣ発振回路４１及び磁界印加用コイル４４と、電池４３とを有する。
【００４９】
磁界印加用コイル４４は、ＬＣ発振回路４１と電気的に接続されており、位置検出用の筆記信号として、交番磁界（以下適宜、単に「磁界」と称する）を送信する。
【００５０】
先端スイッチ４２は、ペン先２ａの筆記面３１Ｌ，３１Ｒへの接触状態に応じて動作する。先端スイッチ４２は、磁界印加用コイル４４からの磁界の送信と停止を切り替えるための指令信号Ｓ０を、ＬＣ発振回路４１に対して出力する。この先端スイッチ４２は、操作者が文字等を筆記するために、ペン先２ａを筆記面３１Ｌ，３１Ｒに押しつけた、すなわちペンダウンしたときに、オンとなる。この場合、ＬＣ発振回路４１に対して指令信号Ｓ０が出力される。一方、操作者が文字等の筆記を止め、ペン先２ａを筆記面３１Ｌ，３１Ｒから離した、すなわちペンアップしたときに、先端スイッチ４２はオフとなる。この場合、ＬＣ発振回路４１に対して指令信号Ｓ０は出力されない。
【００５１】
ＬＣ発振回路４１は、先端スイッチ４２から上記指令信号Ｓ０が入力されることによって、交番磁界（以下適宜、単に「磁界」と称する）を発生し、上記磁界印加用コイル４４を介して送信する。交番磁界は、筆記面３１Ｌ，３１Ｒへの筆記内容に対応したデータ入力を行うための筆記信号として機能する。
【００５２】
電池４３は、電子ペン２の電源スイッチがオンにされることで、ＬＣ発振回路４１に電力を供給する。
【００５３】
座標検出装置３は、図２に示すように、コイルシート１００Ｌ，１００Ｒと、制御回路部２０と、電池２１とを有する。
【００５４】
コイルシート１００Ｌ，１００Ｒは、図３に示すように、センスコイル部１１０を含む。すなわち、図３に示すように配置されたセンスコイル部１１０が、例えば外形が長方形の薄板状に樹脂成形されることにより、コイルシート１００Ｌ，１００Ｒが構成されている。なお、コイルシート１００Ｌに備えられるセンスコイル部１１０が、各請求項記載の第１コイルに相当し、コイルシート１００Ｒに備えられるセンスコイル部１１０が、各請求項記載の第２コイルに相当し、それらを合わせて各請求項記載のコイルに相当する。
【００５５】
センスコイル部１１０は、図３に示すように、上記第１方向４に対応したｘ軸方向に配列されたｍ個のループ状のセンスコイルＸ１〜Ｘｍと、上記第２方向５に対応したｙ軸方向に配列されたｎ個のループ状のセンスコイルＹ１〜Ｙｎとによって構成されている。センスコイルＸ１〜Ｘｍと、センスコイルＹ１〜Ｙｎとは、直交した位置関係で配置されている。また、センスコイルＸ１〜Ｘｍ，Ｙ１〜Ｙｎは、例えば表面に絶縁被膜層が形成された銅線によって形成されている。また、センスコイルＸ１〜Ｘｍ，Ｙ１〜Ｙｎは、電子ペン２のＬＣ発振回路４１から発生し磁界印加用コイル４４から送信された磁界に対応して、電子ペン２から座標検出装置３に情報を入力するための信号Ｓ１（図２参照）を発生する。すなわち、電子ペン２は、座標検出装置３に対し、情報送信可能に接続されている。また、センスコイルＸ１〜Ｘｍ，Ｙ１〜Ｙｎは、図示及び説明を省略する引き出し線により後述のマルチプレクサ６２に接続されている。
【００５６】
センスコイルＸ１〜Ｘｍは、それぞれ、ｘ軸方向の幅Ｐ１の辺とＰ１より長いｙ軸方向の長さＰ２の辺とを備えた、略長方形状に形成されている。センスコイルＸ１〜Ｘｍのそれぞれは、所定の一定ピッチでｘ軸方向に連続して配列されている。例えば、隣接するセンスコイルＸ１〜Ｘｍは、Ｐ１の２分の１のピッチでそれぞれ重ねられている。
【００５７】
センスコイルＹ１〜Ｙｎは、それぞれ、ｘ軸方向の幅Ｐ３の辺とＰ３より短いｙ軸方向の長さＰ１の辺とを備えた、略長方形状に形成されている。センスコイルＹ１〜Ｙｎのそれぞれは、所定の一定ピッチでｙ軸方向に連続して配列されている。例えば、隣接するセンスコイルＹ１〜Ｙｎは、Ｐ１の２分の１のピッチでそれぞれ重ねられている。
【００５８】
なお、図３では、視覚的にわかりやすくするため、便宜上、センスコイルＸ１〜ＸｍとセンスコイルＹ１〜Ｙｎとの各辺がそれぞれ重ならないようにしており、上記ピッチで配列された状態では図示されていない。また、マルチプレクサ６２に入る引出線を省略してセンスコイルＸ１〜Ｘｍ，Ｙ１〜Ｙｎの形状を図示している。
【００５９】
図２に戻り、制御回路部２０は、マイコン８０と、マルチプレクサ６２（以下適宜、「ＭＵＸ６２」と称する）と、増幅回路６４と、整流回路６６と、フラッシュメモリ７２と、通信インターフェース７３と、表示部７４と、めくり検出部７６と、操作手段であるページ「進み」キー７７及びページ「戻り」キー７８とを有する。
【００６０】
マイコン８０は、座標検出装置３で実行される各種の処理を制御する。マイコン８０では、ＣＰＵ８０ａと、ＲＯＭ８０ｂと、ＲＡＭ８０ｃと、その他のＡ／Ｄ変換機能部や割り込み機能部等とが、一つの集積回路として構成されている。
【００６１】
ＭＵＸ６２は、マイコン８０からのコイル選択信号Ｓ３に基づき、センスコイル部１１０のセンスコイルＸ１〜Ｘｍ，Ｙ１〜Ｙｎのうち、１つのセンスコイルを順番に選択する。そして、ＭＵＸ６２は、選択されたセンスコイルＸ１〜Ｘｍ，Ｙ１〜Ｙｎにおいて、電子ペン２のＬＣ発振回路４１から発生される磁界との磁気誘導によって発生した上記信号Ｓ１を入力し、対応する信号Ｓ１１を増幅回路６４へ出力する。なお、センスコイルＸ１〜Ｘｍ，Ｙ１〜Ｙｎが、電子ペン２のＬＣ発振回路４１から発生された磁界と磁気誘導することが、実質的には、磁界を受信することに相当する。
【００６２】
増幅回路６４は、ＭＵＸ６２から入力される信号Ｓ１１を増幅する。増幅回路６４で増幅された信号Ｓ１３は、整流回路６６に入力される。整流回路６６は、増幅回路６４から入力された信号Ｓ１３を振幅検波した後、平滑化して直流信号に変換する。整流回路６６で振幅検波された信号Ｓ１４は、マイコン８０に入力される。マイコン８０は、前述したようにＡ／Ｄ変換機能を備えており、上記入力された振幅検波後の信号Ｓ１４をデジタル信号に変換する。このとき、マイコン８０の上記ＲＯＭ８０ｂには、特に図示しない位置座標テーブルが記憶されている。マイコン８０は、上記デジタル信号に対し、位置座標テーブルを適用することにより、電子ペン２とノート３０との接触点の座標データ（以下適宜、単に「電子ペン２の座標データ」という）、すなわち、ｘ軸方向のｘ座標及びｙ軸方向のｙ座標を算出する。なお、算出された座標データはフラッシュメモリ７２に記憶される。
【００６３】
フラッシュメモリ７２には、電子ファイルが予め用意されており、マイコン８０で算出された複数の座標データを含むペン位置データ列に基づくストロークデータ等が、上記電子ファイルに書き込まれ、後述のページ番号に対応して保存される。
【００６４】
通信インターフェース７３は、フラッシュメモリ７２に保存された複数の座標データを含む後述のペン位置データ列に基づくストロークデータを、例えば図示するようなパーソナルコンピュータＰＣなどの外部装置に提供するためのインターフェースである。具体的には、通信インターフェース７３は、例えばＵｎｉｖｅｒｓａｌ  Ｓｅｒｉａｌ  Ｂｕｓ（ＵＳＢ）接続のためのＵＳＢインターフェースや、ＳＤカードなどのメモリカードスロットや、無線又は有線のネットワークインターフェースである。
【００６５】
表示部７４は、例えば液晶（Ｌｉｑｕｉｄ  Ｃｒｙｓｔａｌ  Ｄｉｓｐｌａｙ、ＬＣＤ）によって構成されている。表示部７４は、電池２１の残量など、座標検出装置３の動作状態に係わる所定の情報を、表示する。
【００６６】
ページ「進み」キー７７及びページ「戻り」キー７８は、電子ファイルのページ切り替え、すなわちページ進み又はページ戻しを、操作者が指示するためのキーである。
【００６７】
電池２１は、座標検出装置３に備えられた図示しない電源スイッチがオンにされることで、マイコン８０等に電力を供給する。
【００６８】
上記めくり検出部７６は、図４に示すように、ベース部９１と、台座部９２と、付勢バネ９３と、アーム７６ａと、ローラ９４と、ロータリエンコーダ９５とを有している。ベース部９１の一端に台座部が直立して固定され、この台座部９２の上端に上記アーム７６ａの一端が揺動可能に軸支されている。アーム７６ａは付勢バネ９３によりベース部９１に向けて回動する方向に付勢されている。アーム７６ａの自由端の内部にはローラ９４が回転可能に設けられている。ローラ９４の下方側面が、アーム７６ａの下面から露出してベース部９１の上面に対向している。また、ローラ９４の回転軸にはロータリエンコーダ９５が設けられている。ロータリエンコーダ９５は、例えば同軸で周期を１／４ずらした二重のスリットを備えており（特に図示せず）、これによってローラ９４の回転方向を検出できる。
【００６９】
このような構成のめくり検出部７６が、上記図１に示すようにして座標検出装置３に設けられている。このとき、ベース部９１が、制御回路部ケース２５と左側シート部１０Ｌに渡るよう固定されている。これにより、ノート３０の左筆記面３１Ｌに位置する複数枚の用紙が、ローラ９４の下方側面とベース部９１の上面との間に挟持される。そして、上述したように、ページを進めるめくり操作を行う場合には、操作者は、用紙をローラ９４とベース部９１との間に挿入し、これによってローラ９４が図中における時計回転方向に回転する。また、ページを戻すめくり操作を行う場合には、操作者はローラ９４とベース部９１の間から用紙を抜き出し、これによってローラ９４が図中における反時計回転方向に回転する。このようにして、めくり検出部７６は、ノート３０におけるページのめくり方向を検出できる。また、このめくり検出部７６は、めくられた枚数が１枚であるか複数枚であるかを区別して検出可能である。
【００７０】
（Ａ）本実施形態の手法原理
（Ａ−１）ページめくり動作と追記に伴う最新ページの判定
上記構成の本実施形態の特徴は、操作者により追記が行われる際の処理内容にある。すなわち、操作者が、自らの意志で、ノート３０の最新ページからページを戻して電子ペン２により追記を行い、当該追記に対応したストロークデータ（以下適宜、「第１ストロークデータ」と称する。詳細は後述）を入力する。その後、操作者がページを進めて再度電子ペン２により筆記を行い、当該筆記に対応したストロークデータ（以下適宜、「第２ストロークデータ」又は「第３ストロークデータ」と称する。詳細は後述）を入力する。このとき、本実施形態では、当該第２ストロークデータ又は第３ストロークデータが、元の最新ページのページ位置で行われたか否かが判定される。なお、本実施形態では、進み方向へのめくり動作を行う度に、上記第１ストロークデータから、第２ストロークデータ、第３ストロークデータ、の順で、ストロークデータの名称を切り替えて称する。
【００７１】
まず、操作者がノート３０に対し順次記載を行っていくときの実際の記載ページと同等のページ番号が、当該記載に対応したストロークデータに対しても順次付与される。このように、操作者がノート３０に対して最新ページへ順次記載を行っていくとき（以下、このような記載を行うことを「最新書き込み」という）、操作者が、自らの意志で、ノート３０のページを最新ページから戻し方向にめくって過去のページにさかのぼって追記を行う場合がある（以下、このような追記を行うことを「追記書き込み」という）。追記書き込みが終わった場合には、操作者は、ノート３０のページを進み方向に戻して、ノート３０を元ページすなわち最新のページに戻す。但し、追記書き込みを複数ページにわたって行う場合には、操作者は、ページを進み方向に戻しつつ、追記書き込みの対象となるそれら複数のページのすべてに対して順次追記書き込みを終わらせた後、ノート３０を上記最新のページに戻す。なお、上記の最新書き込みのストロークデータが、各請求項記載の元ストロークデータに相当する。
【００７２】
ここで、上記の各最新書き込みや追記書き込みのストロークデータにそれぞれ対応するページ番号を付与して管理するためには、当該最新書き込みや追記書き込みがそれぞれ実際に行われたページ番号が、座標検出装置３のマイコン８０により認識される必要がある。座標検出装置３のマイコン８０がページ番号を正確に認識できるように、通常、操作者は、ノート３０の用紙を１枚めくる度に、そのめくり方向に対応した「戻り」キー７７又は「進み」キー７８を押下してページの切り替えを入力する。
【００７３】
例えば、図５に示すように、４ページ目が最新のページである状態（図中の右側に示す状態）で、１ページ目に追記書き込みをする場合には、操作者は、左筆記面３１Ｌに位置する１枚の用紙を右方向へめくる、戻し方向へのめくり動作を行うたびに「戻り」キー７８を１回押下してこれを２回繰り返す。なお、図５では、戻し方向へのめくり動作を単に「戻しめくり」と略して示している（以下の各図において同様）。そして操作者が右筆記面３１Ｒに位置する１ページ目に追記書き込みすることで（図中の網掛け部分）、対応する第１ストロークデータが座標検出装置３のマイコン８０に入力される。このとき、最新ページである４ページ目から「戻り」キー７８が２回押下されて右筆記面３１Ｒに追記書き込みが行われた結果、座標検出装置３のマイコン８０は、当該追記書き込みに対応する第１ストロークデータがノート３０の１ページ目に対応して入力されたことを明確に認識することができる。その後に、右筆記面３１Ｒに位置する１枚の用紙を右方向へめくる、進み方向へのめくり動作を行うたびに操作者が「進み」キー７７を１回押下し、これを２回繰り返すことで、座標検出装置３のマイコン８０は、最新ページである４ページ目を見開いた状態であることを認識することができる。なお、図５では、進み方向へのめくり動作を単に「進みめくり」と略して示している（以下の各図において同様）。
【００７４】
しかし、上記のような「戻り」キー７８と「進み」キー７７の押下操作はとても煩雑であり、急いで過去のページにさかのぼって追記書き込みを行う場合などには、操作者は、各キー７７，７８の押下操作を忘れる場合が多い。
【００７５】
そこで、本実施形態においては、上述したように、めくり動作を自動的に検出できるめくり検出部７６が設けられている。しかし、上記めくり検出部７６でも、操作者が、例えば、ノート３０の用紙を複数枚同時にめくったり、急いでめくったりした等、めくり動作の態様によっては、めくり検出部７６が上記ページめくり動作を正確に検出できない場合があり得る。
【００７６】
例えば、図６に示すように、１０ページ目が最新ページである状態（図中の右上の状態）から、操作者が戻し方向へのめくり動作を繰り返して５ページ目に第１ストロークデータを追記書き込みし、その後に進み方向へのめくり動作を繰り返してから左筆記面３１Ｌに第２ストロークデータを記載する場合がある。このような場合に、当該第２ストロークデータが記載されたページが６ページ目や８ページ目の途中ページであるか、最新ページの１０ページ目であるかを、座標検出装置３のマイコン８０は正確に認識できない。なお、途中ページとは、上記したように、追記書き込みが行われたページと最新ページとの間のページのことである（以下、同様）。これは、上記めくり検出部７６の構成上、めくり方向を正確に検出できても、用紙のめくり枚数を検出する精度が低いことが一因である。つまり、現在、ノート３０に対する操作者の追記書き込みが終了して元の最新ページに復帰した状態であるのか、ノート３０に対する操作者の追記書き込みがまだ途中ページで行われている状態であるのか、を座標検出装置３のマイコン８０が正確に認識できない可能性がある。
【００７７】
しかし、ページ単位でのストロークデータの管理を行う上では、少なくとも、進み方向のめくり動作後に入力されたストロークデータが、最新ページと途中ページのいずれに入力されたか、言い換えると最新書き込みであるか追記書き込みであるかの判別が必要である。以下、本実施形態の座標検出装置３のマイコン８０が上記ページめくり動作及び追記書き込みに伴って実行する、最新ページを判定する手法について順を追って説明する。
【００７８】
まず、本実施形態の手法を実行する前提として、操作者によるノート３０に対する最新書き込みは、必ず下記の２つの原則に従って行われる。すなわち、第１原則として、各ページにおいて必ず先詰めで筆記が行われる。つまり、ある１ページの筆記領域内において、各ページ上部の筆記開始領域や、各ページ上部及び下部以外の筆記途中領域に、空白を残したまま、その後の領域に筆記されることはない。また、１つのページの同じ筆記領域に重複しつつ複数回数筆記されることもない。次に、第２原則として、ページ単位でみた場合も、必ず先詰めで筆記が行われる。つまり、完全に空白のページを残したまま、その後のページに筆記されることはない。
【００７９】
（Ａ−２）最新ページの不適合条件
まず、電子ペン２によりストロークデータが入力された際における、最新ページの不適合条件について説明する。ストロークデータの入力されたページが当該最新ページの不適合条件を満たした場合には、そのページは確実に最新ページでないと判定される。なお、これは同時に、上記途中ページであるための適合条件でもある。
【００８０】
（Ａ−２−１）第１原則に反する場合
前述の第１原則に従った筆記態様では、左筆記面３１Ｌに筆記が行われた後に右筆記面３１Ｒに移り、右筆記面３１Ｒの筆記が終わったらページがめくられて再び左筆記面３１Ｌに筆記が行われる、という順序となる。したがって、最新書き込みのストロークデータが左筆記面３１Ｌの途中で終了した状態で追記書き込みが行われた場合には、追記書き込みが完全に終了したら、第２ストロークデータは上記左筆記面３１Ｌの途中領域から始まるか、当該左筆記面３１Ｌの次のページに対応した右筆記面３１Ｒの筆記開始領域から始まるはずである。あるいは、最新書き込みのストロークデータが右筆記面３１Ｒの途中で終了した状態で追記書き込みが行われた場合には、追記書き込みが完全に終了したら、第２ストロークデータは上記右筆記面３１Ｒの途中領域から始まるか、当該右筆記面３１Ｒの次のページに対応した左筆記面３１Ｌの筆記開始領域から始まるはずである。したがって、最新書き込みのストロークデータの終了点の位置と、第２ストロークデータの開始点の位置とは、密接な関係があるはずである。
【００８１】
そこで本実施形態においては、少なくとも上記に当てはまらない場合、例えば図７及び図８に示すように、第２ストロークデータが最新書き込みのストロークデータの続きの内容になっていない場合には、第２ストロークデータに対応付けるべきページ番号は最新ページ番号ではない、すなわち、追記書き込みが完全に終了した状態ではない、とみなされる。つまり、これらのような場合は、上記第１原則に反し、最新ページの不適合条件となる。この不適合条件を満たすよう第２ストロークデータが入力されたと判定されたページは、途中ページとして確定する。
【００８２】
（Ａ−２−２）第２原則に反する場合（その１）
上述したように、最新書き込みのストロークデータが右筆記面３１Ｒの途中で終了した状態で追記書き込みが行われた場合には、追記書き込みが完全に終了したら、第２ストロークデータは、上記右筆記面３１Ｒの途中領域から始まるか、当該右筆記面３１Ｒの次のページに対応した左筆記面３１Ｌの筆記開始領域から始まるはずである。前者である右筆記面３１Ｒの途中領域に復帰したとき、その右筆記面３１Ｒへの筆記がすぐに終わった場合には、その次のページの左筆記面３１Ｌから始まる前に、進み方向へのページめくりが行われる。このときめくられるページめくり数は１ページであるから、ページめくり数が複数ページである場合には、上記のような追記書き込み完了時の復帰の態様ではない。
【００８３】
そこで本実施形態においては、この点に着目し、上記進み方向へのページめくり数が複数ページであるか否かによって、第２ストロークデータに対応するページ番号が最新ページ番号であるか否かが判定される。例えば図９に示すように、少なくとも第２ストロークデータの生成が行われた後に実行されたページめくり数が、複数ページである場合には、第２ストロークデータに対応付けるべきページ番号は、最新ページ番号ではないとみなされる。つまり、このような場合は、上記第２原則に反し、最新ページの不適合条件となる。この不適合条件を満たすよう第２ストロークデータが入力されたと判定されたページは、途中ページとして確定する。
【００８４】
（Ａ−２−３）第２原則に反する場合（その２）
上述したように、ページ進み方向へのページめくり動作の後に生成される第２ストロークデータが、左筆記面３１Ｌより開始された場合、筆記が進んでその次のページに対応した右筆記面３１Ｒに移り、さらに筆記が進むと操作者によりページめくり動作が行われ、さらにその次のページに対応した左筆記面３１Ｌに移る。この場合、少なくとも、第２ストロークデータの終了点は右筆記面３１Ｒに位置し、第３ストロークデータの開始点は左筆記面３１Ｌに位置するはずである。あるいは、ページ進み方向へのページめくり動作の後に生成される第２ストロークデータが右筆記面３１Ｒより開始された場合、筆記が進むと操作者によりページめくり動作が行われ、その次のページに対応した左筆記面３１Ｌに移る。さらに筆記が進むとさらにその次のページに対応した右筆記面３１Ｒに移る。この場合、少なくとも、第２ストロークデータの終了点は右筆記面３１Ｒに位置し、めくり動作後に生成される第３ストロークデータの開始点は左筆記面３１Ｌに位置するはずである。
【００８５】
そこで本実施形態においては、この点に着目し、上記第２ストロークデータの開始点及び終了点と第３ストロークデータの開始点とが比較され、その比較結果を用いて、第２ストロークデータのページ番号を最新ページ番号とするか否かが判定される。例えば、図１０に示すように、第２ストロークデータの開始点及び終了点が左筆記面３１Ｌにあって第３ストロークデータの開始点も左筆記面３１Ｌにあった場合には、第２ストロークデータに対応付けるべきページ番号は最新ページ番号ではないとみなされる。また、図１１に示すように、第２ストロークデータの開始点及び終了点が右筆記面３１Ｒにあって第３ストロークデータの開始点も右筆記面３１Ｒにあった場合も、第２ストロークデータに対応付けるべきページ番号は最新ページ番号ではないとみなされる。すなわち、追記書き込みが完全に終了した状態ではない、とみなされるのである。つまり、これらのような場合は、上記第２原則に反し、最新ページの不適合条件となる。この不適合条件を満たすよう第２ストロークデータが入力されたと判定されたページは、途中ページとして確定する。
【００８６】
（Ａ−３）最新ページ適合条件
次に、ストロークデータが入力された際に、最新ページの適合条件について説明する。ストロークデータの入力されたページが当該最新ページの適合条件を満たした場合には、そのページは確実に最新ページであると判定される。
【００８７】
（Ａ−３−１）２回実行された進み方向へのめくり動作の間に入力された第２ストロークデータが、左筆記面と右筆記面のそれぞれの筆記開始領域から始まる場合
上述したように、最新書き込みのストロークデータが右筆記面３１Ｒの途中で終了した状態で追記書き込みが行われた場合に、追記書き込み終了時に送り方向へのページめくり後に生成される第２ストロークデータは、上記右筆記面３１Ｒの次のページに対応した左筆記面３１Ｌの筆記開始領域から始まる場合がある。そのようにして左筆記面３１Ｌの筆記開始領域から始まった第２ストロークデータが、さらに続くとその次のページに対応した右筆記面３１Ｒへと移る。この右筆記面３１Ｒへの筆記が終了すると、操作者によって送り方向へのページめくりが行われる。
【００８８】
そこで本実施形態においては、この点に着目し、上記２つの進み方向へのページめくりの間に生成される第２ストロークデータの筆記領域に基づいて、第２ストロークデータのページ番号を最新ページ番号とするか否かが判定される。例えば、図１２中のＡルートに示すように、２回実行されたページめくり動作の間に生成された第２ストロークデータの開始点が左筆記面３１Ｌの筆記開始領域で、右筆記面３１Ｒでの開始点も筆記開始領域であった場合には、第２ストロークデータに対応付けるべきページ番号は最新ページ番号であるとみなされる。すなわち、最新書き込みが完全に終了した状態である、とみなされる。つまり、このような場合は、最新ページの適合条件となる。この適合条件を満たすよう第２ストロークデータが入力されたと判定された際には、当該第２ストロークデータが入力された右筆記面３１Ｒのページは、現行の最新ページとして確定する。
【００８９】
（Ａ−３−２）第３ストロークデータの開始点が左筆記面の筆記開始領域であった場合
上述したように、最新書き込みのストロークデータが左筆記面３１Ｌの途中で終了した状態で追記書き込みが行われた場合に、追記書き込み終了時に送り方向へのページめくり後に第２ストロークデータが上記左筆記面３１Ｌの途中から開始される場合がある。その際、さらに筆記が進んで次のページに対応した右筆記面３１Ｒへと移った後、操作者によるページめくり操作があり、その後さらに次のページに対応した左筆記面３１Ｌから第３ストロークデータが開始される場合がある。なお、第２ストロークデータは、上記右筆記面３１Ｒの筆記開始領域から開始されてもよい。あるいは、上述したように、最新書き込みのストロークデータが右筆記面３１Ｒの途中で終了した状態で追記書き込みが行われた場合に、追記書き込み終了時に送り方向へのページめくり後に第２ストロークデータが上記右筆記面３１Ｒの途中から開始される場合がある。その際、さらに筆記が進んで、操作者によるページめくり操作があり、さらに次のページに対応した左筆記面３１Ｌから第３ストロークデータが開始される場合がある。上記２つの場合は、いずれも、第３ストロークデータは、左筆記面３１Ｌの筆記開始領域から開始される。
【００９０】
そこで本実施形態においては、この点に着目し、上記進み方向へのページめくりの後に生成される第３ストロークデータの筆記領域に基づいて、第２ストロークデータのページ番号を最新ページ番号とするか否かが判定される。例えば、前述の図１２のＢルートや図１３に示すように、ページめくり動作の後に生成された第３ストロークデータの開始点が左筆記面３１Ｌの筆記開始領域であった場合には、第３ストロークデータの終了点に対応付けるべきページ番号は最新ページ番号であるとみなされる。すなわち、追記書き込みが完全に終了した状態である、とみなされる。つまり、これらのような場合は、最新ページの適合条件となる。この適合条件を満たすよう第３ストロークデータが入力されたと判定された際、当該第３ストロークデータの終了点のページは、現行の最新ページとして確定する。
【００９１】
（Ｂ）本実施形態の手法原理を実現するフローチャート
以上説明したような手法原理を実現するために、座標検出装置３のマイコン８０のＣＰＵ８０ａによって実行される処理の制御内容を、図１４〜図１８を用いて説明する。なお、最新ページを開いた状態で、座標検出装置３の電源がオンにされることにより、このフローが開始される。
【００９２】
図１４において、まずステップＳＳ５で、ＣＰＵ８０ａは、めくり検出部７６が戻し方向のめくり動作を検出したか否かを判定する。戻し方向へのめくり動作が検出された場合、判定が満たされ、図１５のステップＳＳ３０へ移る。一方、戻し方向へのめくり動作が検出されていない場合、ステップＳＳ５の判定が満たされず、ステップＳＳ１０へ移る。
【００９３】
ステップＳＳ１０では、ＣＰＵ８０ａは、コイルシート１００Ｌ，１００Ｒに備えられたセンスコイル部１１０のスキャン処理を開始する。センスコイル部１１０のスキャン処理が実行されている間は、センスコイルＸ１〜ＸｍとセンスコイルＹ１〜Ｙｎとを順番に選択するコイル選択信号Ｓ３が、ＭＵＸ６２へ出力される。これにより、電子ペン２の先端スイッチ４２がオンの状態でＬＣ発振回路４１から発生された磁界と、いずれかのセンスコイルＸ１〜Ｘｍ，Ｙ１〜Ｙｎとの磁気誘導によって信号Ｓ１（図２参照）が発生される。そして、前述したように、信号Ｓ１が発生している状態においてＭＵＸ６２により選択されたセンスコイルＸ１〜Ｘｍ，Ｙ１〜Ｙｎからの信号Ｓ１は、ＭＵＸ６２へ入力される。ＭＵＸ６２は、その入力した信号Ｓ１に対応した信号Ｓ１１（図２参照）を増幅回路６４へ出力する。信号Ｓ１１は、増幅回路６４によって増幅され、増幅後の信号Ｓ１２（図２参照）が整流回路６６で整流され、当該整流信号１４がマイコン８０に入力される。マイコン８０のＣＰＵ８０ａは、このコイルスキャン結果、すなわち、センスコイルＸ１〜Ｘｍ，Ｙ１〜Ｙｎでの磁界の受信結果に基づき、公知の適宜の手法により、電子ペン２の座標データ（ｘ，ｙ）の取得すなわち算出を行う。本実施形態では、この座標データの算出は、マイコン８０のＲＯＭ８０ｂに記憶された位置座標テーブルを用いて行われる。そしてＣＰＵ８０ａは、上記座標データを複数算出し、それらに基づいて電子ペン２によるノート３０の筆記面３１Ｌ，３１Ｒへの記載に対応したストロークデータを生成する。
【００９４】
その後、ステップＳＳ１５に移り、ＣＰＵ８０ａは、上記ステップＳＳ１０で生成したストロークデータが、予め定められた一定量以上に達しているか否かを判定する。まだ一定量以上のストロークデータが生成されていない場合、判定は満たされず、上記ステップＳＳ５に戻り、同様の手順を繰り返す。一方、操作者がノート３０に対して意図的に筆記を行ったと認められるほどのストロークデータが生成された場合、ステップＳＳ１５の判定が満たされ、ステップＳＳ２０へ移る。
【００９５】
ステップＳＳ２０では、ＣＰＵ８０ａは、上記ステップＳＳ１０で生成したストロークデータが入力された筆記面における筆記領域を算出する。言い換えるとＣＰＵ８０ａは、当該ストロークデータの開始点と終了点を算出し、それらの間の領域を演算する。そして、ＣＰＵ８０ａは、当該ストロークデータとその筆記領域のデータとに対し、前述の手法により確定した確定ページに対応するページ番号を付与し、フラッシュメモリ７２に保存する。なお、このステップＳＳ２０を実行する時点では、当該ストロークデータが入力されたページが上記最新ページであるか、若しくは上記途中ページであるか、が既に確定している。例えば、電源投入直後や、後述のステップＳＳ１６５又はステップＳＳ２３５から上記ステップＳＳ５へ移っていた場合は、ストロークデータが入力されたページは最新ページであると確定している。また、後述のステップＳＳ８５から上記ステップＳＳ５へ移っていた場合には、ストロークデータが入力されたページは、それまでに「進み」キー７７又は「戻り」キー７８で指定された途中ページであると確定している。
【００９６】
その後、ステップＳＳ２５に移り、ＣＰＵ８０ａは、適宜の操作手段を介してこのフローを終了するよう指示する操作が入力されたか否かを判定する。終了操作が入力されていない場合、判定は満たされず、ステップＳＳ５へ戻って同様の手順を繰り返す。終了操作が入力されている場合、ステップＳＳ２５の判定が満たされ、このフローを終了する。
【００９７】
一方、図１５において、ステップＳＳ３０では、ＣＰＵ８０ａは、上記ステップＳＳ５で戻し方向へのめくり動作が検出される直前の、最新書き込みのストロークデータの終了点の位置座標（Ａ）をＲＡＭ８０ｃに保存する。
【００９８】
その後、ステップＳＳ３５では、ＣＰＵ８０ａは、「戻り」キー７８が押下されているか否かを判定する。「戻り」キー７８が押下されている場合、判定が満たされ、ステップＳＳ４０へ移る。
【００９９】
ステップＳＳ４０では、ＣＰＵ８０ａは、電子ファイル上のデータを、上記ステップＳＳ３５で判定された「戻り」キー７８の押下回数により指定されたページの見開き状態に設定し、後述のステップＳＳ６０へ移る。
【０１００】
一方、上記ステップＳＳ３５の判定において、「戻り」キー７８が押下されていない場合、判定が満たされず、ステップＳＳ４５へ移る。
【０１０１】
ステップＳＳ４５では、ＣＰＵ８０ａは、上記ステップＳＳ１０と同様の制御により、コイルスキャンを行う。なお、このステップＳＳ４５のコイルスキャンにより生成されるストロークデータが、第１ストロークデータに相当する。
【０１０２】
その後、ステップＳＳ５０に移り、ＣＰＵ８０ａは、上記ステップＳＳ４５で生成した第１ストロークデータが前述と同様の一定量以上に達しているか否かを判定する。一定量以上のストロークデータが生成されていない場合、判定は満たされず、上記ステップＳＳ３５に戻り同様の手順を繰り返す。一方、生成したストロークデータが一定量以上に達している場合、ステップＳＳ５０の判定が満たされ、ステップＳＳ５５へ移る。
【０１０３】
ステップＳＳ５５では、ＣＰＵ８０ａは、上記ステップＳＳ４５で生成したストロークデータが入力された筆記面における筆記領域を算出する。言い換えるとＣＰＵ８０ａは、当該ストロークデータの開始点と終了点を算出し、それらの間の領域を演算する。そして、ＣＰＵ８０ａは、当該第１ストロークデータとその筆記領域のデータに対し、追記書き込み用の仮ページのページ番号を付与し、フラッシュメモリ７２に追記データとして保存する。なお、上記仮ページのページ番号は、予め適宜のナンバリングにて設定され適宜の箇所に記憶されている。
【０１０４】
その後、ステップＳＳ６０に移り、ＣＰＵ８０ａは、めくり検出部７６が進み方向のめくり動作を検出したか否かを判定する。進み方向へのめくり動作が検出された場合、判定が満たされ、図１６に示すステップＳＳ８０へ移る。一方、進み方向へのめくり動作が検出されていない場合、ステップＳＳ６０の判定は満たされず、ステップＳＳ６５へ移る。
【０１０５】
ステップＳＳ６５では、ＣＰＵ８０ａは、上記ステップＳＳ１０と同様の制御により、コイルスキャンを行う。
【０１０６】
その後、ステップＳＳ７０に移り、ＣＰＵ８０ａは、上記ステップＳＳ６５で生成したストロークデータが上記同様の一定量以上に達しているか否かを判定する。一定量以上のストロークデータが生成されていない場合、判定は満たされず、上記ステップＳＳ６０に戻り同様の手順を繰り返す。一方、生成したストロークデータが一定量以上に達している場合、ステップＳＳ７０の判定が満たされ、ステップＳＳ７５へ移る。
【０１０７】
ステップＳＳ７５では、ＣＰＵ８０ａは、上記ステップＳＳ６５で生成したストロークデータが入力された筆記面における筆記領域を算出する。言い換えるとＣＰＵ８０ａは、当該ストロークデータの開始点と終了点を算出してその間の領域を演算する。そして、ＣＰＵ８０ａは、当該ストロークデータとその筆記領域のデータに対し、上記同様、追記書き込み用の仮ページのページ番号を付与してフラッシュメモリ７２に保存する。その後、ステップＳＳ６０に戻り同様の手順を繰り返す。
【０１０８】
一方、図１６において、ステップＳＳ８０では、ＣＰＵ８０ａは、「進み」キー７７が押下されているか否かを判定する。「進み」キー７８が押下されている場合、判定が満たされ、ステップＳＳ８５へ移る。
【０１０９】
ステップＳＳ８５では、ＣＰＵ８０ａは、電子ファイル上のデータを、上記ステップＳＳ８０で判定された「進み」キー７７の押下回数により指定されたページの見開き状態に設定し、前述のステップＳＳ５へ移る。
【０１１０】
一方、上記ステップＳＳ８０の判定において、「進み」キー７７が押下されていない場合、判定が満たされず、ステップＳＳ９０へ移る。
【０１１１】
ステップＳＳ９０では、ＣＰＵ８０ａは、上記ステップＳＳ１０と同様の制御により、コイルスキャンを行う。なお、このステップＳＳ９０のコイルスキャンにより生成されるストロークデータは、第２ストロークデータに相当する。
【０１１２】
その後、ステップＳＳ９５に移り、ＣＰＵ８０ａは、上記ステップＳＳ９０で生成した第２ストロークデータが上記同様の一定量以上に達しているか否かを判定する。一定量以上のストロークデータが生成されていない場合、判定は満たされず、上記ステップＳＳ８０に戻り同様の手順を繰り返す。一方、生成したストロークデータが一定量以上に達している場合、判定が満たされ、ステップＳＳ１００へ移る。
【０１１３】
ステップＳＳ１００では、ＣＰＵ８０ａは、上記ステップＳＳ９０で生成した第２ストロークデータが入力された筆記面における筆記領域を算出する。言い換えるとＣＰＵ８０ａは、当該第２ストロークデータの開始点と終了点を算出してその間の領域を演算する。そして、当該ストロークデータとその筆記領域のデータに対し、上記同様、追記書き込み用の仮ページのページ番号を付与してフラッシュメモリ７２に保存する。
【０１１４】
その後、ステップＳＳ１０５に移り、ＣＰＵ８０ａは、上記ステップＳＳ６０で進み方向へのめくり動作が検出された直後の追記書き込み、つまり上記第２ストロークデータの開始点の位置座標（Ｂ）をＲＡＭ８０ｃに保存する。
【０１１５】
その後、ステップＳＳ１１０に移り、ＣＰＵ８０ａは、上記ステップＳＳ３０で保存した位置座標（Ａ）と、上記ステップＳＳ１０５で保存した位置座標（Ｂ）との比較を行う。
【０１１６】
その後、ステップＳＳ１１５に移り、ＣＰＵ８０ａは、上記ステップＳＳ１１０での比較に基づいて、最新ページの不適合条件を満たすか否かを判定する。具体的には、ＣＰＵ８０ａは、位置座標（Ｂ）が位置座標（Ａ）の左右反対側の筆記面の途中領域に位置していることで、上記（Ａ−２−１）で説明した条件を満たしているか否か、言い換えれば前述の第１原則に反しているか否か、を判定する。（Ａ−２−１）の条件を満たしている場合、判定が満たされ、ステップＳＳ１２０へ移る。
【０１１７】
ステップＳＳ１２０では、ＣＰＵ８０ａは、上記ステップＳＳ９０で生成された第２ストロークデータが入力されたページを、上記途中ページであると確定し、前述のステップＳＳ６０へ移る。
【０１１８】
一方、上記ステップＳＳ１１５の判定において、（Ａ−２−１）の条件を満たしていない場合、判定は満たされず、ステップＳＳ１２５へ移る。
【０１１９】
ステップＳＳ１２５では、ＣＰＵ８０ａは、めくり検出部７６が進み方向のめくり動作を検出したか否かを判定する。進み方向へのめくり動作が検出された場合、判定が満たされ、図１７に示すステップＳＳ１４５へ移る。一方、進み方向へのめくり動作が検出されていない場合、ステップＳＳ１２５の判定が満たされず、ステップＳＳ１３０へ移る。
【０１２０】
ステップＳＳ１３０では、ＣＰＵ８０ａは、上記ステップＳＳ１０と同様の制御により、コイルスキャンを行う。なお、このステップＳＳ１３０のコイルスキャンにより生成されるストロークデータは、第２ストロークデータに相当する。
【０１２１】
その後、ステップＳＳ１３５に移り、ＣＰＵ８０ａは、上記ステップＳＳ１３０で生成した第２ストロークデータが前述と同様の一定量以上に達しているか否かを判定する。一定量以上のストロークデータが生成されていない場合、判定は満たされず、上記ステップＳＳ１２５に戻り同様の手順を繰り返す。一方、生成したストロークデータが一定量以上に達している場合、ステップＳＳ１３５の判定が満たされ、ステップＳＳ１４０へ移る。
【０１２２】
ステップＳＳ１４０では、ＣＰＵ８０ａは、上記ステップＳＳ１３０で生成した第２ストロークデータが入力された筆記面における筆記領域を算出する。言い換えるとＣＰＵ８０ａは、当該第２ストロークデータの開始点と終了点を算出して、それらの間の領域を演算する。そして、ＣＰＵ８０ａは、当該ストロークデータとその筆記領域のデータに対し、追記書き込み用の仮ページのページ番号を付与してフラッシュメモリ７２に保存する。その後、ステップＳＳ１２５に戻り同様の手順を繰り返す。
【０１２３】
一方、図１７において、ステップＳＳ１４５では、ＣＰＵ８０ａは、上記ステップＳＳ１２５で検出した進み方向へのめくり動作が、複数枚のめくり動作であったか否かを判定する。すなわち、上記ステップＳＳ１２５のタイミングで複数枚の進み方向へのめくり動作が検出されているか否かにより、ＣＰＵ８０ａは、このステップＳＳ１４５で、上記（Ａ−２−２）で説明した上記第２原則に反しているか否かを判定する。進み方向へのめくり動作が複数枚で行われ（Ａ−２−２）の条件が満たされている場合、ステップＳＳ１４５の判定が満たされ、ステップＳＳ１５０へ移る。
【０１２４】
ステップＳＳ１５０では、ＣＰＵ８０ａは、上記ステップＳＳ１３０で生成されたストロークデータが入力されたページを、上記途中ページであると確定し、前述のステップＳＳ６０へ移る。
【０１２５】
一方、上記ステップＳＳ１４５の判定において、進み方向へのめくり動作が１枚のめくり動作であった場合、判定は満たされず、ステップＳＳ１５５へ移る。
【０１２６】
ステップＳＳ１５５では、ＣＰＵ８０ａは、一つ前の進み方向へのめくり動作が検出されてから、直前の上記ステップＳＳ１２５での進み方向へのめくり動作が検出されるまでの間に入力された、第２ストロークデータを検証する。
【０１２７】
その後、ステップＳＳ１６０に移り、ＣＰＵ８０ａは、上記ステップＳＳ１５５での検証に基づいて、最新ページの適合条件を満たすか否かを判定する。具体的には、ＣＰＵ８０ａは、２回実行されたページめくり動作の間に生成された第２ストロークデータの開始点が左筆記面３１Ｌの筆記開始領域で、右筆記面３１Ｒでの開始点も筆記開始領域であって、上記（Ａ−３−１）の条件を満たしているか否かを判定する。（Ａ−３−１）の条件を満たしている場合、判定が満たされ、ステップＳＳ１６５へ移る。
【０１２８】
ステップＳＳ１６５では、ＣＰＵ８０ａは、上記ステップＳＳ９０及びステップＳＳ１３０で生成された第２ストロークデータが入力された右筆記面３１Ｒを、現行の最新ページであると確定し、前述のステップＳＳ５へ移る。
【０１２９】
一方、上記ステップＳＳ１６０の判定において、（Ａ−３−１）の条件を満たしていない場合、判定は満たされず、ステップＳＳ１７０へ移る。
【０１３０】
ステップＳＳ１７０では、ＣＰＵ８０ａは、上記ステップＳＳ１０と同様の制御により、コイルスキャンを行う。なお、このステップＳＳ１７０のコイルスキャンにより生成されるストロークデータは、第３ストロークデータに相当する。
【０１３１】
その後、ステップＳＳ１７５に移り、ＣＰＵ８０ａは、上記ステップＳＳ１７０で生成した第３ストロークデータが前述と同様の一定量以上に達しているか否かを判定する。一定量以上のストロークデータが生成されていない場合、判定は満たされず、上記ステップＳＳ１７０に戻り同様の手順を繰り返す。一方、生成したストロークデータが一定量以上に達している場合、ステップＳＳ１７５の判定が満たされ、ステップＳＳ１８０へ移る。
【０１３２】
ステップＳＳ１８０では、ＣＰＵ８０ａは、上記ステップＳＳ１７０で生成した第３ストロークデータが入力された筆記面における筆記領域を算出する。言い換えるとＣＰＵ８０ａは、当該第３ストロークデータの開始点と終了点を算出して、その間の領域を演算する。そして、ＣＰＵ８０ａは、当該ストロークデータとその筆記領域のデータに対し、追記書き込み用の仮ページのページ番号を付与してフラッシュメモリ７２に保存する。
【０１３３】
その後、ステップＳＳ１８５に移り、ＣＰＵ８０ａは、上記ステップＳＳ１２５で進み方向へのめくり動作が検出された直後の追記書き込み、つまり上記第３ストロークデータの開始点の位置座標（Ｃ）をＲＡＭ８０ｃに保存する。
【０１３４】
その後、ステップＳＳ１９０に移り、ＣＰＵ８０ａは、上記ステップＳＳ１０５で保存した位置座標（Ｂ）と、上記ステップＳＳ１８５で保存した位置座標（Ｃ）との比較を行う。
【０１３５】
その後、ステップＳＳ１９５に移り、ＣＰＵ８０ａは、上記ステップＳＳ１９０での比較に基づいて、最新ページの不適合条件を満たすか否かを判定する。具体的には、ＣＰＵ８０ａは、第２ストロークデータの開始点及び終了点が左筆記面３１Ｌにあり第３ストロークデータの開始点も左筆記面３１Ｌにあるか、又は、第２ストロークデータの開始点及び終了点が右筆記面３１Ｒにあり第３ストロークデータの開始点も右筆記面３１Ｒにあることで、上記（Ａ−２−３）で説明した条件を満たしているか否かを判定する。言い換えれば、ＣＰＵ８０ａは、前述の第２原則に反しているか否か、を判定する。（Ａ−２−３）の条件を満たしている場合、判定が満たされ、ステップＳＳ２００へ移る。
【０１３６】
ステップＳＳ２００では、ＣＰＵ８０ａは、上記ステップＳＳ１７０で生成された第２及び第３ストロークデータが入力されたページを、上記途中ページであると確定し、前述のステップＳＳ６０へ移る。
【０１３７】
一方、上記ステップＳＳ１９５の判定において、（Ａ−３−１）の条件を満たしていない場合、判定は満たされず、図１８に示すステップＳＳ２０５へ移る。
【０１３８】
ステップＳＳ２０５では、ＣＰＵ８０ａは、めくり検出部７６が進み方向のめくり動作を検出したか否かを判定する。進み方向へのめくり動作が検出された場合、判定が満たされ、ステップＳＳ２２５へ移る。一方、進み方向へのめくり動作が検出されていない場合、ステップＳＳ２０５の判定は満たされず、ステップＳＳ２１０へ移る。
【０１３９】
ステップＳＳ２１０では、ＣＰＵ８０ａは、上記ステップＳＳ１０と同様の制御により、コイルスキャンを行う。なお、このステップＳＳ１３０のコイルスキャンにより生成されるストロークデータは、第３ストロークデータに相当する。
【０１４０】
その後、ステップＳＳ２１５に移り、ＣＰＵ８０ａは、上記ステップＳＳ２１０で生成した第３ストロークデータが前述と同様の一定量以上に達しているか否かを判定する。一定量以上のストロークデータが生成されていない場合、判定は満たされず、上記ステップＳＳ２０５に戻り同様の手順を繰り返す。一方、生成したストロークデータが一定量以上に達している場合、ステップＳＳ２１５の判定が満たされ、ステップＳＳ２２０へ移る。
【０１４１】
ステップＳＳ２２０では、ＣＰＵ８０ａは、上記ステップＳＳ２１０で生成した第３ストロークデータが入力された筆記面における筆記領域を算出する。言い換えるとＣＰＵ８０ａは、当該第３ストロークデータの開始点と終了点を算出して、それらの間の領域を演算する。そして、ＣＰＵ８０ａは、当該ストロークデータとその筆記領域のデータに対し、追記書き込み用の仮ページのページ番号を付与してフラッシュメモリ７２に保存する。その後、ステップＳＳ２０５に戻り同様の手順を繰り返す。
【０１４２】
一方、ステップＳＳ２２５では、ＣＰＵ８０ａは、一つ前の進み方向へのめくり動作が検出されてから、直前の上記ステップＳＳ２０５での進み方向へのめくり動作が検出されるまでの間に入力された、第３ストロークデータを検証する。なお、進み方向へのめくり動作が繰り返された結果このストロークデータが第４以降のストロークデータに相当する場合には、ＣＰＵ８０ａは対応した置き換えを実行する。
【０１４３】
その後、ステップＳＳ２３０に移り、ＣＰＵ８０ａは、上記ステップＳＳ２２５での検証に基づいて、最新ページの適合条件を満たすか否かを判定する。具体的には、ＣＰＵ８０ａは、ページめくり動作の後に生成された第３以降のストロークデータの開始点が左筆記面３１Ｌの筆記開始領域であって、上記（Ａ−３−２）の条件を満たしているか否かを判定する。（Ａ−３−２）の条件を満たしている場合、判定が満たされ、ステップＳＳ２３５へ移る。
【０１４４】
ステップＳＳ２３５では、ＣＰＵ８０ａは、上記ステップＳＳ１７０及びステップＳＳ２１０で生成された第３以降のストロークデータの終了点が入力された筆記面を、現行の最新ページであると確定する。その後、前述のステップＳＳ５へ移る。
【０１４５】
一方、上記ステップＳＳ２３０の判定において、（Ａ−３−２）の条件を満たしていない場合、判定は満たされず、上記ステップＳＳ１７０へ移る。
【０１４６】
以上において、上記図１４〜図１８のフローにおけるステップＳＳ１０、ステップＳＳ４５、ステップＳＳ６５、ステップＳＳ９０、ステップＳＳ１３０、ステップＳＳ１７０、及びステップＳＳ２１０が、各請求項記載の位置取得手段及びストロークデータ生成手段として機能する。
【０１４７】
また、ステップＳＳ２０、ステップＳＳ５５、ステップＳＳ７５、ステップＳＳ１００、ステップＳＳ１４０、ステップＳＳ１８０、及びステップＳＳ２２０でそれぞれ実行する筆記領域を算出する処理が、各請求項記載の筆記領域検出手段として機能する。また、それらステップＳＳ２０、ステップＳＳ５５、ステップＳＳ７５、ステップＳＳ１００、ステップＳＳ１４０、ステップＳＳ１８０、及びステップＳＳ２２０でそれぞれ実行するページ番号を付与する処理がページ付与手段として機能するとともに、フラッシュメモリ７２に保存する処理が記憶制御手段として機能する。
【０１４８】
さらに、ステップＳＳ１１５が各請求項記載の第１判定手段として機能し、ステップＳＳ１４５が各請求項記載の第２判定手段として機能し、ステップＳＳ１６０が各請求項記載の第３判定手段として機能し、ステップＳＳ１９５の手順が各請求項記載の第４判定手段として機能し、ステップＳＳ２３０の手順が各請求項記載の第５判定手段として機能する。そして、これらステップＳＳ１１５、ステップＳＳ１４５、ステップＳＳ１６０、ステップＳＳ１９５、及びステップＳＳ２３０と、前述の上記ステップＳＳ２０、ステップＳＳ５５、ステップＳＳ７５、ステップＳＳ１００、ステップＳＳ１４０、ステップＳＳ１８０、及びステップＳＳ２２０とが、各請求項記載の復帰判定手段として機能する。
【０１４９】
以上説明したように、本実施形態の手書き入力装置１においては、戻し方向へのめくり動作が検出された後、第１ストロークデータが生成され、進み方向へのめくり動作が検出された場合に、最新ページの適合条件及び不適合条件の判定が繰り返される（ステップＳＳ１１５、ステップＳＳ１４５、ステップＳＳ１６０、ステップＳＳ１９５、ステップＳＳ２３０参照）。これらにより、最新ページに復帰したかどうかが判定される。そして、ステップＳＳ５５、ステップＳＳ７５、ステップＳＳ１００、ステップＳＳ１４０、ステップＳＳ１８０、及びステップＳＳ２２０において、第１ストロークデータ等が、別途付与した追記用仮ページ番号に対応付けられて追記データとしてフラッシュメモリ７２に記憶される。これにより、第１ストロークデータ等に対し正確なページ番号が付与されない状態であっても、適宜の追記用仮ページ番号に対応付けて保存することができる。
【０１５０】
また、本実施形態では特に、ステップＳＳ１１５で、最新書き込みのストロークデータの終了点の位置座標（Ａ）と、第２ストロークデータの開始点の位置座標（Ｂ）とが比較される。言い換えれば、上記第２ストロークデータが最新書き込みのストロークデータの続きの内容になっているか、が比較される。そして、上記の結果、第２ストロークデータのページ番号を、最新書き込みのストロークデータの最新ページ番号とするか否かが決定される。したがって、最新ページ番号とすると判定された場合には、当該第２ストロークデータが最新ページ番号に対応付けて記憶される。これにより、その時点で操作者による追記書き込みがすべて完了し、通常の筆記順序に沿った最新書き込みに復帰した場合に、それ以降のストロークデータに対し、上記復帰に対応した最新ページ番号が付与される。以上の結果、本実施形態の手書き入力装置１は、めくり検出部７６がページめくり動作を正確に検出できなかった場合であっても、操作者の追記書き込みが終了しもとの最新ページに戻った状態であることを、正確に認識することができる。
【０１５１】
また、本実施形態では特に、第２ストロークデータが最新書き込みのストロークデータの続きの内容になっていない場合には、ステップＳＳ１１５で、第２ストロークデータに対応付けるべきページ番号は最新ページ番号ではない、すなわち、追記書き込みが完全に終了した状態ではない、とみなされる。これにより、操作者の追記書き込みがまだ終了しておらず、もとの最新ページに戻っていない状態であることを、手書き入力装置１は正確に認識することができる。
【０１５２】
また、本実施形態では特に、ステップＳＳ１４５で、少なくとも第２ストロークデータの生成が行われた後に実行されたページめくり数が複数ページである場合には、第２ストロークデータに対応付けるべきページ番号は最新ページ番号ではないとみなされる。すなわち、追記書き込みが完全に終了した状態ではない、とみなされる。これにより、操作者の追記がまだ終了しておらず、もとの最新ページに戻っていない状態であることを、手書き入力装置１は正確に認識することができる。
【０１５３】
また、本実施形態では特に、２回実行されたページめくり動作の間に生成された第２ストロークデータの開始点が左筆記面３１Ｌの筆記開始領域で、右筆記面３１Ｒでの開始点も筆記開始領域であった場合には、ステップＳＳ１６０で、第２ストロークデータに対応付けるべきページ番号が最新ページ番号であるとみなされる。すなわち、追記書き込みが完全に終了した状態である、とみなされる。これにより、操作者の追記が終了し、もとの最新ページに戻った状態であることを、手書き入力装置１は正確に認識することができる。
【０１５４】
また、本実施形態では特に、第２ストロークデータの開始点及び終了点が左筆記面３１Ｌにあって第３ストロークデータの開始点も左筆記面３１Ｌにあった場合、及び、第２ストロークデータの開始点及び終了点が右筆記面３１Ｒにあって第３ストロークデータの開始点も右筆記面３１Ｒにあった場合には、ステップＳＳ１９５で、第２ストロークデータに対応付けるべきページ番号は最新ページ番号ではないとみなされる。すなわち、追記書き込みが完全に終了した状態ではない、とみなされる。これにより、操作者の追記が終了せず、もとの最新ページに戻った状態ではないことを、手書き入力装置１は正確に認識することができる。
【０１５５】
また、本実施形態では特に、ページめくり動作の後に生成された第３ストロークデータの開始点が左筆記面３１Ｌの筆記開始領域であった場合には、ステップＳＳ２３０で、第３ストロークデータの終了点に対応付けるべきページ番号は最新ページ番号であるとみなされる。すなわち、追記書き込みが完全に終了した状態である、とみなされる。これにより、操作者の追記書き込みが終了し、もとの最新ページに戻った状態であることを、手書き入力装置１は正確に認識することができる。
【０１５６】
なお、上記実施形態においては、めくり検出部７６は、用紙を挟持するローラの回転によりめくり方向の検出を行っていたが、これに限られない。例えば、上記図１（ｃ）に対応する図１９に示すめくり検出部７６Ａのように、アーム７６ａの下面に画像センサ９６が設けられて、用紙の動きからめくり動作の有無とその方向が検出されるようにしてもよい。
【０１５７】
また、最新ページの適合条件としては、上記（Ａ−３−１）と（Ａ−３−２）の２つに限られず、別の手法としてもよい。すなわち、例えば、上記ステップＳＳ１１５において、ページ送り方向にページめくりが行われたときのめくり検出部７６によるページめくり数と、「戻り」キー７８により指示されたページ番号の減少数とが比較される。そして、これらページめくり数とページ番号の減少数とが一致しているときには、単に操作者が「進み」キー７７の押下によるページ番号の増加指示を失念したに過ぎないとみなし、第２ストロークデータに、最新ページ番号が対応付けられる。これにより、操作者の追記書き込みが終了し、もとの最新ページに確実に戻っている状態であることを、手書き入力装置１は正確に認識することができる。
【０１５８】
また、上記図１４〜図１８に示したフローチャートでは、最新ページから戻って追記書き込みを行ってからまた最新ページに復帰するまでの間に戻し方向へのめくり動作は１度しか行わないことが前提であったが、本発明はこれに限られない。例えば、特に図示しないが、進み方向へのめくり検出を行うステップＳＳ６０、ステップＳＳ１２５、及びステップＳＳ２０５の各手順で、それぞれ戻し方向へのめくり検出も行い、戻し方向へのめくり動作が検出された場合には、必ず最新ページから離れることになる結果、いずれもステップＳＳ３０に移るようにしてもよい。
【０１５９】
また、上記実施形態では、ノート３０が左閉じの製本構成で左筆記面３１Ｌと右筆記面３１Ｒとを左右方向に見開く構成であったが、本発明はこれに限られない。例えば、特に図示しないが、右閉じの製本構成であってもよいし、上下方向に見開く構成であってもよい。また、筆記態様においても、例えば縦書きとしてもよい。これらの場合には、ページ構成や筆記態様に合わせて最新ページの適合条件や不適合条件を適宜変更すればよい。
【０１６０】
また、めくり操作によりページの進みと戻りを行う略ノート形状の被筆記体として、必ずしも筆記面を２つ備える構成に限られない。例えば、特に図示しないが、いわゆるレポート用紙を製本したもののように、見開いた状態での同じ一方の側のページだけを筆記面とする構成の被筆記体に本発明を適用してもよい。この場合、進みめくり操作をしたページの裏面のページは筆記面としないため、この点を考慮して最新ページの適合条件や不適合条件を適宜変更すればよい。
【０１６１】
なお、以上において、図２等の各図中に示す矢印は信号の流れの一例を示すものであり、信号の流れ方向を限定するものではない。
【０１６２】
また、図１４〜図１８等に示すフローチャートは本発明を上記フローに示す手順に限定するものではなく、発明の趣旨及び技術的思想を逸脱しない範囲内で手順の追加・削除又は順番の変更等をしてもよい。
【０１６３】
また、以上既に述べた以外にも、上記実施形態や各変形例による手法を適宜組み合わせて利用しても良い。
【０１６４】
その他、一々例示はしないが、本発明は、その趣旨を逸脱しない範囲内において、種々の変更が加えられて実施されるものである。
【符号の説明】
【０１６５】
１                手書き入力装置（電子筆記装置）
２                電子ペン（電子筆記具）
３                座標検出装置（電子記録端末）
３０              ノート（被筆記体）
３１Ｌ，Ｒ        筆記面（筆記部、第１筆記部、第２筆記部）
４１              ＬＣ発振回路（信号生成手段）
４４              磁界印加用コイル
７６              めくり検出部（ページめくり検出手段）
７７              「進み」キー（操作手段）
７８              「戻り」キー（操作手段）
８０ａ            ＣＰＵ
１１０            センスコイル（コイル）
【図１】
0005366021.tif 000002
【図２】
0005366021.tif 000003
【図３】
0005366021.tif 000004
【図４】
0005366021.tif 000005
【図５】
0005366021.tif 000006
【図６】
0005366021.tif 000007
【図７】
0005366021.tif 000008
【図８】
0005366021.tif 000009
【図９】
0005366021.tif 000010
【図１０】
0005366021.tif 000011
【図１１】
0005366021.tif 000012
【図１２】
0005366021.tif 000013
【図１３】
0005366021.tif 000014
【図１４】
0005366021.tif 000015
【図１５】
0005366021.tif 000016
【図１６】
0005366021.tif 000017
【図１７】
0005366021.tif 000018
【図１８】
0005366021.tif 000019
【図１９】
0005366021.tif 000020